(57)【特許請求の範囲】
【請求項１】
第１蓄電装置及び第２蓄電装置と、
前記第１蓄電装置及び第２蓄電装置の少なくとも一方からの給電を受けて作動可能であると共に該給電を受けていない状態で回生電力を出力可能な電気負荷と該第１蓄電装置と該第２蓄電装置との間の電力伝送路に介装されており、該電気負荷と該第１蓄電装置と該第２蓄電装置との間の電力伝送を、与えられる制御信号に応じて制御し得るように構成された電力伝送回路部と、
前記電気負荷に付与する制動力を発生する制動装置と、
前記電力伝送回路部及び制動装置をそれぞれ制御する機能を有する制御装置とを備えており、
前記第１蓄電装置は、前記第２蓄電装置よりも充電に対する劣化耐性が低い蓄電装置であり、
前記制御装置は、
前記第１蓄電装置及び第２蓄電装置のそれぞれの故障の有無を示す故障検知情報と、前記電気負荷の制動時における要求制動力とを取得可能であり、
前記第１蓄電装置及び第２蓄電装置の両方が故障無しの状態である場合における前記電気負荷の制動時に、前記回生電力を前記１蓄電装置及び第２蓄電装置のうちの一方又は両方に充電することにより発生する回生制動力と前記制動装置が発生する制動力である非回生制動力とのうちの少なくとも一方の制動力により前記電気負荷の要求制動力を満たすように前記電力伝送回路部及び制動装置のうちの少なくとも一方を制御する処理であって、前記回生電力のうちの少なくとも一部を前記第２蓄電装置に充電するように前記電力伝送回路部を制御する処理を含む第１制動処理を実行する機能と、
前記第１蓄電装置が故障無の状態であり、且つ、第２蓄電装置が故障有りの状態である場合における前記電気負荷の制動時に、前記回生電力を前記１蓄電装置に充電することにより発生する回生制動力と前記制動装置が発生する非回生制動力とのうちの少なくとも一方の制動力により前記電気負荷の要求制動力を満たすように前記電力伝送回路部及び制動装置のうちの少なくとも一方を制御する処理であって、前記回生電力を前記第１蓄電装置だけに充電するように前記電力伝送回路部を制御する処理を含む第２制動処理を実行する機能とを有するように構成されていると共に、
前記第１制動処理において、前記電気負荷の制動時に該電気負荷から出力させるべき前記回生電力の大きさを表す回生量指標値が所定の第Ａ閾値よりも小さい場合に、該回生電力を前記第１蓄電装置だけに充電し、前記回生量指標値が前記第Ａ閾値よりも大きい場合には、該回生電力を、前記第１蓄電装置及び第２蓄電装置のうちの少なくとも第２蓄電装置を含む一方又は両方の蓄電装置に充電するように前記電力伝送回路部を制御するように構成されており、
前記第Ａ閾値は、前記回生量指標値の最大値以下の範囲のうち、該第Ａ閾値よりも小さい範囲が、該第Ａ閾値よりも大きい範囲よりも狭い範囲になるように設定されていることを特徴とする電力供給システム。
【請求項２】
請求項１記載の電力供給システムにおいて、
前記第１蓄電装置は、前記第２蓄電装置よりもエネルギー密度が高い蓄電装置であり、前記第２蓄電装置は、前記第１蓄電装置よりも出力密度が高い蓄電装置であることを特徴とする電力供給システム。
【請求項３】
請求項１又は２記載の電力供給システムにおいて、
前記制御装置は、前記電気負荷の制動時に該電気負荷から出力させるべき前記回生電力の大きさを表す回生量指標値と、前記第２蓄電装置の残容量とのうちの少なくとも一方を取得可能であり、前記第１制動処理において、前記回生電力のうちの前記第１蓄電装置への充電量と前記第２蓄電装置への充電量との割合を、前記回生量指標値と、前記第２蓄電装置の残容量とのうちの少なくとも一方に応じて変化させるように前記電力伝送回路部を制御するように構成されていることを特徴とする電力供給システム。
【請求項４】
請求項１〜３のいずれか１項に記載の電力供給システムにおいて、
前記第２制動処理は、前記回生電力を前記第１蓄電装置だけに充電するように前記電力伝送回路部を制御する処理と、前記非回生制動力を発生させるように前記制動装置を制御する処理とを含むことを特徴とする電力供給システム。
【請求項５】
請求項４記載の電力供給システムにおいて、
前記制御装置は、前記第２制動処理において、前記回生電力を前記第１蓄電装置だけに充電するように前記電力伝送回路部を制御する処理を、該第１蓄電装置の充電速度を所定の速度閾値以下に制限して実行するように構成されており、前記所定の速度閾値は、該速度閾値よりも大きい速度域での該充電速度の増加に対する前記第１蓄電装置の劣化の進行度合いが、該速度閾値よりも小さい速度域での該充電速度の増加に対する前記第１蓄電装置の劣化の進行度合いより高いものとなるようにあらかじめ設定された閾値であることを特徴とする電力供給システム。
【請求項６】
請求項４又は５記載の電力供給システムにおいて、
前記制御装置は、前記第１蓄電装置の残容量を取得可能であり、前記第２制動処理において、前記要求制動力のうちの前記回生制動力の負担割合を前記第１蓄電装置の残容量に応じて変化させるように構成されていることを特徴とする電力供給システム。
【請求項７】
請求項６記載の電力供給システムにおいて、
前記制御装置は、前記第２制動処理において、前記第１蓄電装置の残容量が所定の残容量閾値よりも大きい場合に、前記要求制動力のうちの前記回生制動力の負担割合をゼロとして、前記要求制動力に前記非回生制動力を一致させるように前記制動装置を制御するように構成されていることを特徴とする電力供給システム。
【請求項８】
請求項１〜７のいずれか１項に記載の電力供給システムにおいて、
前記電気負荷は、電動モータであることを特徴とする電力供給システム。
【請求項９】
請求項８記載の電力供給システムにおいて、
前記電力伝送回路部は、前記第１蓄電装置及び第２蓄電装置の少なくともいずれか一方の出力電圧を変換して出力する電圧変換器と、前記第１蓄電装置又は前記第２蓄電装置又は前記電圧変換器から入力される直流電力を交流電力に変換して前記電動モータに給電するインバータとを含むことを特徴とする電力供給システム。
【請求項１０】
請求項１〜９のいずれか１項の電力供給システムを備えることを特徴とする輸送機器。
【発明の詳細な説明】
【技術分野】
【０００１】
本発明は、２つの蓄電装置を用いて電動モータ等の電気負荷に給電をおこなう電力供給システムに関する。
【背景技術】
【０００２】
従来、この種の電力供給システムとしては、例えば特許文献１に見られるものが知られている。特許文献１には、高容量型の蓄電装置と、出力可能な電力の上限値が相対的に高い高出力型の蓄電装置との２つの蓄電装置を用いて、車両の電動モータに給電を行い得るように構成されたシステムが記載されている。
【０００３】
このシステムでは、高容量型の蓄電装置への充電は、外部充電装置により行うことが可能となっているものの、負荷側（電動モータ側）から高容量型の蓄電装置への充電はダイオードにより阻止されるようになっている。
【先行技術文献】
【特許文献】
【０００４】
【特許文献１】特開２０１４−１４３８１７号公報
【発明の概要】
【発明が解決しようとする課題】
【０００５】
高容量型の蓄電装置は、一般に、充電に対する劣化耐性が高出力型の蓄電装置等に比して低い。このため、高容量型の蓄電装置は、その充電（特に高レートでの充電）を行うと、劣化の進行が生じ易い。
【０００６】
従って、高容量型の蓄電装置への充電は、極力、行わないことが望ましく、また、充電時には、極力、低レートで（低速で）充電を行い、該蓄電装置の劣化の進行を極力抑制することが望ましい。
【０００７】
ここで、前記特許文献１に見られるシステムでは、高容量型の蓄電装置への充電は、外部充電装置により行うことが可能となっているものの、負荷側（電動モータ側）から高容量型の蓄電装置への充電はダイオードにより阻止されるようになっている。このため、充電に対する劣化耐性が低い高容量型の蓄電装置への充電は、外部充電装置による充電に限られ、車両の走行中に電動モータの回生電力が高容量型の蓄電装置に充電されることはない。
【０００８】
しかしながら、特許文献１に見られるシステムでは、例えば高出力型の蓄電装置が故障して、該蓄電装置から電動モータへの給電を行うことができない状態になると、高容量型の蓄電装置だけから、電動モータへの給電を行うこととなる。そして、この場合、高容量型の蓄電装置は、電動モータの回生電力を充電することができないので、高容量型の蓄電装置の残容量は、電動モータ等の電気負荷への給電に伴い、減少していくだけである。
【０００９】
このため、特許文献１に見られるシステムでは、高出力型の蓄電装置が故障した場合に、その後、早期に、電動モータ（２つの蓄電装置の電気負荷）への給電を行うことができなくなってしまい易い。
【００１０】
加えて、高出力型の蓄電装置が満充電に近い状況では、電動モータの回生電力を、高出力型の蓄電装置及び高容量型の蓄電装置の双方に充電できない。従って、ブレーキ等の制動装置によって電動モータに対する制動要求を満たす必要がある。その結果、システムが受け取れる回生電力が減少するため、システム全体のエネルギー効率（電費）が悪化してしまう。
【００１１】
本発明は、かかる背景に鑑みてなされたものであり、２つの蓄電装置のうちの１つの蓄電装置が故障しても、他の蓄電装置から電気負荷の給電を行い得る期間を極力延ばすことが可能となる電力供給システムを提供することを目的とする。
【００１２】
また、かかる電力供給システムを備える輸送機器を提供することを目的とする。
【課題を解決するための手段】
【００１４】
本発明の電力供給システムは、上記目的を達成するために、
第１蓄電装置及び第２蓄電装置と、
前記第１蓄電装置及び第２蓄電装置の少なくとも一方からの給電を受けて作動可能であると共に該給電を受けていない状態で回生電力を出力可能な電気負荷と該第１蓄電装置と該第２蓄電装置との間の電力伝送路に介装されており、該電気負荷と該第１蓄電装置と該第２蓄電装置との間の電力伝送を、与えられる制御信号に応じて制御し得るように構成された電力伝送回路部と、
前記電気負荷に付与する制動力を発生する制動装置と、
前記電力伝送回路部及び制動装置をそれぞれ制御する機能を有する制御装置とを備えており、
前記制御装置は、
前記第１蓄電装置及び第２蓄電装置のそれぞれの故障の有無を示す故障検知情報と、前記電気負荷の制動時における要求制動力とを取得可能であり、
前記第１蓄電装置及び第２蓄電装置の両方が故障無しの状態である場合における前記電気負荷の制動時に、前記回生電力を前記１蓄電装置及び第２蓄電装置のうちの一方又は両方に充電することにより発生する回生制動力と前記制動装置が発生する制動力である非回生制動力とのうちの少なくとも一方の制動力により前記電気負荷の要求制動力を満たすように前記電力伝送回路部及び制動装置のうちの少なくとも一方を制御する処理であって、前記回生電力のうちの少なくとも一部を前記第２蓄電装置に充電するように前記電力伝送回路部を制御する処理を含む第１制動処理を実行する機能と、
前記第１蓄電装置が故障無の状態であり、且つ、第２蓄電装置が故障有りの状態である場合における前記電気負荷の制動時に、前記回生電力を前記１蓄電装置に充電することにより発生する回生制動力と前記制動装置が発生する非回生制動力とのうちの少なくとも一方の制動力により前記電気負荷の要求制動力を満たすように前記電力伝送回路部及び制動装置のうちの少なくとも一方を制御する処理であって、前記回生電力を前記第１蓄電装置だけに充電するように前記電力伝送回路部を制御する処理を含む第２制動処理を実行する機能とを有するように構成されていることを基本構成とする。
そして、第１発明では、前記第１蓄電装置は、前記第２蓄電装置よりも充電に対する劣化耐性が低い蓄電装置であり、前記制御装置は、前記第１制動処理において、前記電気負荷の制動時に該電気負荷から出力させるべき前記回生電力の大きさを表す回生量指標値が所定の第Ａ閾値よりも小さい場合に、該回生電力を前記第１蓄電装置だけに充電し、前記回生量指標値が前記第Ａ閾値よりも大きい場合には、該回生電力を、前記第１蓄電装置及び第２蓄電装置のうちの少なくとも第２蓄電装置を含む一方又は両方の蓄電装置に充電するように前記電力伝送回路部を制御するように構成されており、前記第Ａ閾値は、前記回生量指標値の最大値以下の範囲のうち、該第Ａ閾値よりも小さい範囲が、該第Ａ閾値よりも大きい範囲よりも狭い範囲になるように設定されていることを特徴とする。
【００１５】
ここで、本発明に係る用語について補足しておく。「回生電力」は電気負荷の回生動作（発電動作）によって該電気負荷から出力される電気量を意味する。この場合、「電気量」及び「回生電力」は、例えば、単位時間当たりの電気エネルギー量（例えば電力値）、又は、単位時間当たりの電荷量（例えば電流値）により表される。
【００１６】
また、前記電気負荷の「要求制動力」は、該電気負荷の可動部（回転部、並進移動部等）に作用させるべき制動力の要求値を意味する。
【００１７】
また、前記制動装置が発生する「制動力」（非回生制動力）は、前記電気負荷が回生電力を出力することで発生する回生制動力とは別に、該電気負荷の可動部に外部から付加される制動力（例えば、摩擦力による制動力）を意味する。
【００１８】
また、前記「電力伝送回路部」が、前記電気負荷と前記第１蓄電装置と前記第２蓄電装置との間の電力伝送を制御し得るということは、「電力伝送回路部」が、第１蓄電装置及び第２蓄電装置のそれぞれと前記電気負荷との間で授受させる電気量を制御し得る機能を少なくとも有することを意味する。
【００１９】
また、「残容量」は、蓄電装置（第１蓄電装置又は第２蓄電装置）に蓄えられている電力量（例えば［Ａｈ］の単位での電力量）と、該電力量を蓄電装置の満充電容量で除算して得られる充電率［％］とのいずれでもよい。
【００２０】
以上を前提として本発明を説明する。
【００２１】
上記基本構成によれば、前記第１蓄電装置及び第２蓄電装置の両方が故障無しの状態である場合における前記電気負荷の制動時には、前記制御装置は、前記第１制動処理を実行する。これにより、前記要求制動力が、前記回生制動力及び非回生制動力のうちの一方又は両方により実現される。
【００２２】
この場合、第１制動処理は、前記回生電力のうちの少なくとも一部を前記第２蓄電装置に充電するように前記電力伝送回路部を制御する処理を含む。このため、電気負荷の制動時に、第２蓄電装置が前記回生電力により充電される状況が発生する。この結果、第２蓄電装置から電気負荷に給電し得る状態を、極力持続することが可能となる。
【００２３】
また、前記第１蓄電装置が故障無の状態であり、且つ、第２蓄電装置が故障有りの状態である場合における前記電気負荷の制動時には、前記制御装置は、前記第２制動処理を実行する。これにより、前記要求制動力が、前記回生制動力及び非回生制動力のうちの一方又は両方により実現される。ただし、この場合、前記第２蓄電装置が故障有りの状態であるので、前記回生制動力を発生することは、前記回生電力を第１蓄電装置及び第２蓄電装置のうちの前記第１蓄電装置だけに充電することで実現し得る。
【００２４】
そして、上記第２制動処理は、前記回生電力を前記第１蓄電装置だけに充電するように前記電力伝送回路部を制御する処理を含む。このため、電気負荷の制動時に、第１蓄電装置が前記回生電力により充電される状況が発生する。この結果、第２蓄電装置の故障が発生した場合でも、故障無の状態の第１蓄電装置から電気負荷に給電し得る状態を、極力持続することが可能となる。
【００２５】
よって、第１発明によれば、２つの蓄電装置のうちの１つの蓄電装置（第２蓄電装置）が故障しても、他の蓄電装置（第１蓄電装置）から電気負荷へ給電を行い得る期間を極力延ばすことが可能となる。
また、第１発明では、前記第１蓄電装置は、前記第２蓄電装置よりも充電に対する劣化耐性が低い蓄電装置である。そして、前記制御装置は、前記第１制動処理において、前記電気負荷の制動時に該電気負荷から出力させるべき前記回生電力の大きさを表す回生量指標値が所定の第Ａ閾値よりも小さい場合に、該回生電力を前記第１蓄電装置だけに充電し、前記回生量指標値が前記第Ａ閾値よりも大きい場合には、該回生電力を、前記第１蓄電装置及び第２蓄電装置のうちの少なくとも第２蓄電装置を含む一方又は両方の蓄電装置に充電するように前記電力伝送回路部を制御するように構成されている。また、前記第Ａ閾値は、前記回生量指標値の最大値以下の範囲のうち、該第Ａ閾値よりも小さい範囲が、該第Ａ閾値よりも大きい範囲よりも狭い範囲になるように設定されている
これによれば、前記第１制動処理において、前記回生電力を前記電気負荷から出力させる状況で、第１蓄電装置の単位時間当たりの充電量（充電速度）が極力大きくならないようにしつつ、該回生電力の全体又は一部を第１蓄電装置に充電することが可能となる。ひいては、第１蓄電装置の劣化の進行を抑制しつつ、該第１蓄電装置を回生電力により充電することができる。
また、この場合、第２蓄電装置は、相対的に、充電に対する劣化耐性が高いため、前記第１制動処理において、該第２蓄電装置の劣化の進行を抑制しつつ、該第２蓄電装置の残容量を、前記回生電力により速やかに上昇させることが可能となる。
【００２６】
上記第１発明では、前記第１蓄電装置は、前記第２蓄電装置よりもエネルギー密度が高い蓄電装置であり、前記第２蓄電装置は、前記第１蓄電装置よりも出力密度が高い蓄電装置であることが好ましい（第２発明）。
【００２７】
これによれば、前記第１蓄電装置及び第２蓄電装置の両方が正常（故障無しの状態）である場合には、前記第１蓄電装置のエネルギー密度が相対的に高いため、電気負荷に給電し得る期間を長くすることができる。さらに、前記第２蓄電装置の出力密度が相対的に高いため、電気負荷への給電を行う状態における該電気負荷の要求出力の変動に対して、該電気負荷への給電量（電気負荷に供給する電気量）を高い応答性で変化させることができる。
【００２８】
従って、第１蓄電装置及び第２蓄電装置の全体によって、出力密度とエネルギー密度との両方を高めたエネルギー源を実現できる。
【００２９】
また、出力密度が相対的に高い第２蓄電装置は、一般に、その残容量が小さくなり過ぎ、あるいは、大きくなり過ぎると、該第２蓄電装置の劣化が早期に進行し易いものの、電気負荷の制動における前記第１制動処理では、該第２蓄電装置を前記回生電力により適宜充電することができる。このため、第２蓄電装置の残容量が小さくなり過ぎたり、あるいは、大きくなり過ぎるのを防止して、該第２蓄電装置の劣化の進行を抑制することが可能となる。ひいては、電気負荷に高い応答性で給電を行い得るようにエネルギー源の出力密度を高め得る。
【００３０】
補足すると、上記「要求出力」は、電気負荷の作動に必要な電気量の要求値を規定するものを意味する。該「要求出力」としては、電気量の要求値そのものを用いることができる。また、電気負荷が、例えば、給電される電気量に応じた機械的な出力（動力又は運動エネルギー）を発生するものである場合には、当該機械的な出力の要求値を、電気負荷の「要求出力」として用いることもできる。
【００３１】
なお、前記基本構成では、前記第１制動処理において、前記回生電力を前記第１蓄電装置に充電することを実行しないようにすることも可能である。ただし、前記第１制動処理において、前記回生電力を前記第１蓄電装置だけに充電するように前記電力伝送回路部を制御する処理と、前記回生電力を前記第２蓄電装置だけに充電するように前記電力伝送回路部を制御する処理と、前記回生電力を前記第１蓄電装置及び第２蓄電装置の両方に充電する処理とのうちの２つ以上の処理を含むことが好ましい。
第１発明では、前記第１制動処理において、前記電気負荷の制動時に該電気負荷から出力させるべき前記回生電力の大きさを表す回生量指標値が所定の第Ａ閾値よりも小さい場合に、該回生電力を前記第１蓄電装置だけに充電し、前記回生量指標値が前記第Ａ閾値よりも大きい場合には、該回生電力を、前記第１蓄電装置及び第２蓄電装置のうちの少なくとも第２蓄電装置を含む一方又は両方の蓄電装置に充電するように前記電力伝送回路部を制御する。
【００３２】
これによれば、前記第１制動処理において、第２蓄電装置だけでなく、第１蓄電装置にも回生電力を適宜充電することが可能となる。このため、電気負荷の制動時の要求制動力を、前記回生制動力だけで実現し、あるいは、極力、制動装置による非回生制動力を使用せずに、回生制動力により実現することが可能となる。ひいては、電力供給システムのエネルギーの利用効率を高めることが可能となる。
【００３３】
また、回生電力による第１蓄電装置及び第２蓄電装置の充電量を、適宜、該第１蓄電装置及び第２蓄電装置の残容量もしくは劣化状態等を反映させて調整することも可能となる。
【００３４】
上記第１発明では、前記制御装置は、前記電気負荷の制動時に該電気負荷から出力させるべき前記回生電力の大きさを表す回生量指標値と、前記第２蓄電装置の残容量とのうちの少なくとも一方を取得可能であり、前記第１制動処理において、前記回生電力のうちの前記第１蓄電装置への充電量と前記第２蓄電装置への充電量との割合を、前記回生量指標値と、前記第２蓄電装置の残容量とのちの少なくとも一方に応じて変化させるように前記電力伝送回路部を制御するように構成されていることが好ましい（第３発明）。
【００３５】
なお、上記「回生量指標値」は、回生電力の増加に伴い、増加する指標値を意味する。該「回生量指標値」は、回生電力の値そのものでもよいが、その他のパラメータ値であってもよい。例えば、前記電気負荷が回生電力を出力するときに発生する回生制動力を「回生量指標値」として用いることも可能である。
【００３６】
上記第３発明によれば、前記電気負荷から出力される回生電力のうちの前記第１蓄電装置の充電量と前記第２蓄電装置の充電量との割合を、回生電力の大きさ、あるいは、第２蓄電装置の残容量の状態を反映させた適切な形態で変化させることが可能となる。
【００４０】
上記第１〜第３発明では、前記第１蓄電装置が、前記第２蓄電装置よりも充電に対する劣化耐性が低い蓄電装置である場合には、前記第２制動処理は、前記回生電力を前記第１蓄電装置だけに充電するように前記電力伝送回路部を制御する処理と、前記非回生制動力を発生させるように前記制動装置を制御する処理とを含むことが好ましい（第４発明）。
【００４１】
これによれば、前記第２制動処理において、前記回生電力を前記第１蓄電装置に充電することによる回生制動力の発生と、前記制動装置による非回生制動力の発生とを並行して行うことが可能となる。このため、前記要求制動力が比較的大きい場合であっても、該第１蓄電装置の単位時間当たりの充電量（充電速度）が極力大きくならないようにしつつ、前記電気負荷の要求制動力を実現することが可能となる。そのため、前記第２制動処理において、前記第１蓄電装置の劣化の進行を極力抑制しつつ、該第１蓄電装置の充電を行うことが可能となる。
【００４２】
上記第４発明では、前記制御装置は、前記第２制動処理において、前記回生電力を前記第１蓄電装置だけに充電するように前記電力伝送回路部を制御する処理を、該第１蓄電装置の充電速度を所定の速度閾値以下に制限して実行するように構成されており、前記所定の速度閾値は、該速度閾値よりも大きい速度域での該充電速度の増加に対する前記第１蓄電装置の劣化の進行度合いが、該速度閾値よりも小さい速度域での該充電速度の増加に対する前記第１蓄電装置の劣化の進行度合いより高いものとなるようにあらかじめ設定された閾値であることが好ましい（第５発明）。
【００４３】
ここで、充電に対する劣化耐性が相対的に低い第１蓄電装置は、一般に、その充電速度がある値を超えると、劣化の進行が急速に進む傾向がある。そこで、第７発明では、前記速度閾値を上記の如く設定し、第１蓄電装置の充電速度を該速度閾値以下に制限して実行する。
【００４４】
これによれば、前記第２制動処理において、前記回生電力による第１蓄電装置の充電速度が前記速度閾値以下の比較的小さい速度域に制限されるので、該第１蓄電装置の劣化の進行をより一層、高い信頼性で抑制しつつ、該第１蓄電装置の充電を行うことが可能となる。ひいては、前記回生電力による第１蓄電装置を充電することに起因する該第１蓄電装置の劣化の進行を効果的に抑制することができる。
【００４５】
上記第４〜第５発明では、前記制御装置は、前記第１蓄電装置の残容量を取得可能であり、前記第２制動処理において、前記要求制動力のうちの前記回生制動力の負担割合を前記第１蓄電装置の残容量に応じて変化させるように構成されていることが好ましい（第６発明）。
【００４６】
これによれば、前記第２制動処理において、第１蓄電装置の残容量に適合させた量の回生電力を第１蓄電装置に充電することが可能となる。
【００４７】
この第６発明では、前記制御装置は、前記第２制動処理において、前記第１蓄電装置の残容量が所定の残容量閾値よりも大きい場合に、前記要求制動力のうちの前記回生制動力の負担割合をゼロとして、前記要求制動力に前記非回生制動力を一致させるように前記制動装置を制御するように構成されていることが好ましい（第７発明）。
【００４８】
これによれば、前記第２制動処理において、第１蓄電装置の残容量が前記残容量閾値よりも小さい場合には、該第１蓄電装置に回生電力を充電することができる一方、第１蓄電装置の残容量が前記残容量閾値よりも大きい場合には、回生電力を第１蓄電装置に充電することは行われない。このため、第１蓄電装置への回生電力の充電を行うことを、必要性の高い状況においてだけ実行することができる。そのため、該第１蓄電装置の劣化の進行を極力抑制することができる。
【００４９】
なお、以上説明した第１〜第７発明において、前記電気負荷として、例えば、電動モータを採用し得る（第８発明）。
【００５０】
また、上記第８発明では、前記電力伝送回路部は、前記第１蓄電装置及び第２蓄電装置の少なくともいずれか一方の出力電圧を変換して出力する電圧変換器と、前記第１蓄電装置又は前記第２蓄電装置又は前記電圧変換器から入力される直流電力を交流電力に変換して前記電動モータに給電するインバータとを含むことが好ましい（第９発明）。
【００５１】
これによれば、前記電気負荷としての電動モータと第１蓄電装置と第２蓄電装置との電力伝送を適切に制御できる。
【００５２】
また、本発明の輸送機器は、上記第１〜第９発明の電力供給システムを備える（第１０発明）。この輸送機器によれば、上記第１〜第９発明に関して説明した効果を奏する輸送機器を実現できる。
【００５３】
また、本発明に関連する電力供給システムの制御方法は、第１蓄電装置及び第２蓄電装置と、
前記第１蓄電装置及び第２蓄電装置の少なくとも一方からの給電を受けて作動可能であると共に該給電を受けていない状態で回生電力を出力可能な電気負荷に付与する制動力を発生する制動装置とを備える電力供給システムの制御方法であって、
前記第１蓄電装置及び第２蓄電装置のそれぞれの故障の有無を検知するステップと、
前記第１蓄電装置及び第２蓄電装置の両方が故障無しの状態である場合における前記電気負荷の制動時に、前記回生電力を前記１蓄電装置及び第２蓄電装置のうちの一方又は両方に充電することにより発生する回生制動力と前記制動装置が発生する制動力である非回生制動力とのうちの少なくとも一方の制動力により前記電気負荷の要求制動力を発生させる制御処理であって、前記回生電力のうちの少なくとも一部を前記第２蓄電装置に充電する処理を含む第１制動処理を実行するステップと、
前記第１蓄電装置が故障無の状態であり、且つ、第２蓄電装置が故障有りの状態である場合における前記電気負荷の制動時に、前記回生電力を前記１蓄電装置に充電することにより発生する回生制動力と前記制動装置が発生する非回生制動力とのうちの少なくとも一方の制動力により前記電気負荷の要求制動力を発生させる制御処理であって、前記回生電力を前記第１蓄電装置だけに充電させる処理を含む第２制動処理を実行するステップとを備えることを特徴とする。
【００５４】
これによれば、第１発明と同様に、２つの蓄電装置のうちの１つの蓄電装置（第２蓄電装置）が故障しても、他の蓄電装置（第１蓄電装置）から電気負荷への給電を行い得る期間を極力延ばすことが可能となる。
【図面の簡単な説明】
【００５５】
【図１】本発明の実施形態における電力供給システムの全体構成を示す図。
【図２】実施形態の電力供給システムに備える電圧変換器の一例の回路構成を示す図。
【図３】実施形態の電力供給システムに備えるインバータの一例の回路構成を示す図。
【図４】実施形態の電力供給システムに備える制御装置の制御処理をフローチャート。
【図５】図４のＳＴＥＰ４で実行する第１制御モードでの通常併用制御処理における要求駆動力と第２蓄電装置の残容量との関係をマップ形態で示す図。
【図６】図４のＳＴＥＰ４で実行する通常併用制御処理を示すフローチャート。
【図７】図４のＳＴＥＰ４で実行する通常併用制御処理を示すフローチャート。
【図８】図４のＳＴＥＰ４で実行する通常併用制御処理を示すフローチャート。
【図９】図７のＳＴＥＰ１９又は図８のＳＴＥＰ２５の処理を示すフローチャート。
【図１０】図９の処理で使用する係数αと第２蓄電装置の残容量との関係を示すグラフ。
【図１１】図４のＳＴＥＰ４で実行する第２制御モードでの通常併用制御処理における要求駆動力と第２蓄電装置の残容量との関係をマップ形態で示す図。
【図１２】図４のＳＴＥＰ４で実行する第３制御モードでの通常併用制御処理における要求駆動力と第２蓄電装置の残容量との関係をマップ形態で示す図。
【図１３】図４のＳＴＥＰ６で実行する停止延長制御処理を示すフローチャート。
【図１４】第１蓄電装置及び第２蓄電装置のそれぞれの残容量の組の経時変化の形態の一例を示すグラフ。
【図１５】第１蓄電装置の残容量の経時変化の形態の一例を示すグラフ。
【図１６】第２蓄電装置の残容量の経時変化の形態の一例を示すグラフ。
【図１７】停止延長制御処理の実行期間における第１蓄電装置及び第２蓄電装置の残容量の経時変化の一例を示すグラフ。
【図１８】電動モータの制動時における制御装置の制御処理を示すフローチャート。
【図１９】図１９Ａ、図１９Ｂ、図１９Ｃはそれぞれ、第１制動モード、第２制動モード、第３制動モードでの制動処理の形態を示す図。
【図２０】第１制動モード（第１実施形態）での図１８のＳＴＥＰ５４の処理を示すフローチャート。
【図２１】第２制動モードでの図１８のＳＴＥＰ５４の処理を示すフローチャート。
【図２２】第３制動モードでの図１８のＳＴＥＰ５４の処理を示すフローチャート。
【図２３】第１蓄電装置の充電レート特性を例示するグラフ。
【図２４】第２蓄電装置の故障の発生の前後での第１蓄電装置及び第２蓄電装置のそれぞれの経時変化の一例を示す図。
【図２５】第１制動モード（第２実施形態）での図１８のＳＴＥＰ５４の処理を示すフローチャート。
【図２６】第１制動モード（第２実施形態又は第３実施形態）での制動処理の形態を示す図。
【図２７】第１制動モード（第３実施形態）での図１８のＳＴＥＰ５４の処理を示すフローチャート。
【発明を実施するための形態】
【００５６】
［第１実施形態］
本発明の第１実施形態を図１〜図２４を参照して以下に説明する。なお、第１実施形態は、後述の第１制動モードの制動処理が、本発明における第１制動処理に関連する参考例の処理となっている実施形態である。図１を参照して、本実施形態の電力供給システム１は、電気負荷の一例としての電動モータ１００に電力を供給するシステムである。
【００５７】
この電力供給システム１は、本実施形態の一例では、電動モータ１００を推進力発生源として使用する輸送機器、例えば電動車両（図示省略）に搭載される。この場合、電動モータ１００は、電力の供給を受けて駆動力を発生する力行運転の他、電動車両（以降、単に車両ということがある）の運動エネルギーにより回生電力を出力する回生運転を行うことが可能である。
【００５８】
電力供給システム１は、電源としての第１蓄電装置２及び第２蓄電装置３と、電動モータ１００、第１蓄電装置２及び第２蓄電装置３の間に配設された電力伝送路４と、電力供給システム１の作動制御を行う機能を有する制御装置５と、電動モータ１００に付与する制動力を発生する制動装置６とを備える。なお、電力供給システム１の電気負荷は、電動モータ１００の他、補機類等の電気負荷がさらに含まれていてもよい。
【００５９】
第１蓄電装置２及び第２蓄電装置３は、本実施形態では、それぞれの特性が異なる蓄電装置であると共に、いずれも充電可能な蓄電装置である。具体的には、第１蓄電装置２及び第２蓄電装置３は以下のような特性を有する。
【００６０】
第１蓄電装置２は、第２蓄電装置３よりもエネルギー密度が高い蓄電装置である。該エネルギー密度は、単位重量当たり又は単位体積当たりに貯蔵し得る電気エネルギー量である。かかる第１蓄電装置２は、例えば、リチウムイオン電池等により構成され得る。
【００６１】
また、第２蓄電装置３は、第１蓄電装置２よりも出力密度が高い蓄電装置である。該出力密度は、単位重量当たり、又は単位体積当たりに出力可能な電気量（単位時間当たりの電気エネルギー量又は単位時間当たりの電荷量）である。かかる第２蓄電装置３は、例えば、リチウムイオン電池、ニッケル水素電池、キャパシタ等により構成され得る。
【００６２】
エネルギー密度が相対的に高い第１蓄電装置２は、第２蓄電装置３に比して、多くの電気エネルギーを貯蔵し得る。また、出力密度が相対的に高い第２蓄電装置３は、第１蓄電装置２に比して、インピーダンスが小さいために、瞬時的に大きな電力を出力することが可能である。
【００６３】
さらに、第１蓄電装置２は、その入出力（放電量及び充電量の両方又は一方）の変動に対する劣化耐性が第２蓄電装置３に比して低い蓄電装置である。このため、第１蓄電装置２は、その入出力の変動が頻繁に生じるような形態で放電又は充電を行うと、第２蓄電装置３に比して、劣化の進行が生じ易い。かかる第１蓄電装置２は、その入出力の変動が頻繁に生じるような形態で放電又は充電を行うよりも、該入出力の変動が生じ難い形態で定常的な放電又は充電を行う方が、劣化の進行が抑制される。
【００６４】
これに対して、入出力の変動に対する劣化耐性が相対的に高い第２蓄電装置３は、その入出力の変動が頻繁に生じるような形態で放電を行っても、第１蓄電装置に比して、劣化の進行が生じ難い。
【００６５】
また、第１蓄電装置２及び第２蓄電装置３のそれぞれの充電に関する特性については、第１蓄電装置２は、第２蓄電装置３よりも、充電（特に、高レートでの充電）に対する劣化耐性が低い（充電に起因する劣化が進行し易い）。これに対して、第２蓄電装置３は、第１蓄電装置２よりも充電に対する劣化耐性が高い（充電に起因する劣化が進行し難い）。
【００６６】
また、第２蓄電装置３は、その残容量が高容量側又は低容量側に偏った状態で放電又は充電を行うよりも、該残容量が中程度の値に維持されるようにして放電又は充電を行う方が劣化の進行が抑制されるという特性を有する。より詳しく言えば、第２蓄電装置３は、その残容量が中程度の値から、高容量側に増加又は低容量側に減少するほど、該第２蓄電装置３の劣化が進行しやすくなるという特性を有する。
【００６７】
制動装置６は、本実施形態では、車両のブレーキ装置（ディスクブレーキ等）により構成される。この場合、制動装置６は、車両の走行時に電動モータ１００により回転駆動される駆動輪１０１に制動力を付与することで、間接的に、電動モータ１００に制動力を付与する。
【００６８】
電力伝送路４は、通電線、あるいは、基板の配線パターン等により構成される。この電力伝送路４には、第１蓄電装置２、第２蓄電装置３及び電動モータ１００の間の電力伝送を制御するための電力伝送回路部１１が介装されている。
【００６９】
そして、電力伝送路４は、第１蓄電装置２及び電力伝送回路部１１の間の電力伝送を行う電力伝送路４ａと、第２蓄電装置３及び電力伝送回路部１１の間の電力伝送を行う電力伝送路４ｂと、電動モータ１００と電力伝送回路部１１との間の電力伝送を行う電力伝送路４ｃとを含む。電力伝送路４ａ，４ｂには、それぞれの継断を行うスイッチ部としてのコンタクタ１２，１３が介装されている。
【００７０】
電力伝送回路部１１は、制御装置５から与えられる制御信号に応じて、第１蓄電装置２、第２蓄電装置３及び電動モータ１００の間の電力伝送を制御し得るように構成されている。より詳しくは、電力伝送回路部１１は、電力の供給元及び供給先の選択的な切替え、並びに、供給元から供給先への電力の供給量（給電量）を、与えられる制御信号に応じて制御することが可能である。
【００７１】
具体的には、電力伝送回路部１１は、第１蓄電装置２から入力される電圧を昇圧又は降圧して出力可能な電圧変換器１５と、第２蓄電装置３から入力される電圧を昇圧又は降圧して出力可能な電圧変換器１６と、直流電力を交流電力に変換して出力可能なインバータ１７とを備える。
【００７２】
この場合、電圧変換器１５，１６は、インバータ１７の入力側に並列に接続されている。また、インバータ１７の入力側（電圧変換器１５，１６の出力側）には、インバータ１７に入力される直流電圧（電圧変換器１５又は１６から出力される直流電圧）を平滑化するコンデンサ１８が介装されている。
【００７３】
なお、電力伝送回路部１１は、前記コンタクタ１２，１３を含めた回路部であってもよい。
【００７４】
電圧変換器１５，１６は、所謂、ＤＣ／ＤＣコンバータであり、それぞれ公知のものを採用し得る。かかる電圧変換器１５，１６の一例の回路構成を図２に示す。図示の回路構成の電圧変換器１５又は１６は、第１蓄電装置２又は第２蓄電装置３の出力電圧を昇圧して出力可能な電圧変換器である。この電圧変換器１５又は１６は、第１蓄電装置２又は第２蓄電装置３に接続される一対の一次側端子２１ａ，２１ｂと、インバータ１７に接続される一対の二次側端子２２ａ，２２ｂとの間に、コンデンサ２３と、コイル２４と、ハイサイド及びローサイドの２つのスイッチ部２７ａ，２７ｂとを図示の如く接続して構成されている。該スイッチ部２７ａ，２７ｂのそれぞれは、トランジスタ等の半導体スイッチ素子２５とダイオード２６とを並列に接続して構成されている。
【００７５】
かかる構成の電圧変換器１５又は１６は、スイッチ部２７ａ，２７ｂのそれぞれの半導体スイッチ素子２５のオン・オフを所定のデューティー比を有する制御信号（所謂、デューティー信号）により制御することで、一次側端子２１ａ，２１ｂに入力される直流電圧を所要の昇圧率で昇圧してなる直流電圧を二次側端子２２ａ，２２ｂから出力すること、あるいは、二次側端子２２ａ，２２ｂに入力される直流電圧を所要の降圧率で降圧してなる直流電圧を一次側端子２１ａ，２１ｂから出力することが可能である。そして、上記昇圧率又は降圧率を可変的に制御することも可能である。
【００７６】
さらに電圧変換器１５又は１６は、両方のスイッチ部２７ａ，２７ｂの半導体スイッチ素子２５，２５をオフに制御することで、二次側から一次側への通電（電力伝送）を遮断することも可能である。
【００７７】
補足すると、電圧変換器１５，１６は、図２に示したもの以外の回路構成のものであってもよい。また、電圧変換器１５，１６のいずれか一方又は両方は、第１蓄電装置２又は第２蓄電装置３から入力される電圧を降圧して出力し得るように構成されていてもよい。また、電圧変換器１５，１６のいずれか一方を省略することもできる。電圧変換器１５又は１６の要否、あるいは、電圧変換器１５又は１６の電圧変換の種別（昇圧又は降圧）は、電気負荷の作動に必要な電圧、並びに、第１蓄電装置２及び第２蓄電装置３のそれぞれの出力電圧等に応じて種々様々な組合せパターンで選定し得る。
【００７８】
例えば、第１蓄電装置２が第２蓄電装置３よりも高電圧の蓄電装置である場合において、前記電圧変換器１５，１６のいずれか一方を省略する場合には、第１蓄電装置２に接続された電圧変換器１５を省略することが好ましい。このように、電圧変換器１５，１６の一方を省略することで、電力供給システムの実現に要するコストを削減できる。
【００７９】
インバータ１７は、公知の回路構成のものを採用し得る。例えば電動モータ１００が３相の電動モータである場合におけるインバータ１７の一例の回路構成を図３に示す。図示のインバータ１７は、直流電圧が印加される一対の電源端子３１ａ，３１ｂの間に、Ｕ相、Ｖ相、Ｗ相の３相のアーム３２ｕ，３２ｖ，３２ｗを並列に接続して構成されたものである。各相のアーム３２ｕ，３２ｖ，３２ｗは、ハイサイド及びローサイドの２つのスイッチ部３５ａ，３５ｂを直列に接続して構成されている。該スイッチ部３５ａ，３５ｂのそれぞれは、トランジスタ等の半導体スイッチ素子３３及びダイオード３４を並列に接続して構成されている。そして、各相のアーム３２ｕ，３２ｖ，３２ｗのスイッチ部３５ａ，３５ｂの間の中点が、３相の交流電力の出力部となっている。
【００８０】
かかる構成のインバータ１７は、各相のアーム３２ｕ，３２ｖ，３２ｗのスイッチ部３５ａ，３５ｂのそれぞれの半導体スイッチ素子３３のオン・オフをＰＷＭ制御方式等により生成した制御信号により制御することで、電源端子３１ａ，３１ｂに入力される直流電力を３相の交流電力に変換し、該交流電力を電動モータ１００（力行運転時の電動モータ１００）に出力することが可能である。
【００８１】
さらに、電動モータ１００の回生運転時（発電時）には、各相のアーム３２ｕ，３２ｖ，３２ｗのスイッチ部３５ａ，３５ｂのそれぞれの半導体スイッチ素子３３のオン・オフを所定のデューティー比を有する制御信号（所謂、デューティー信号）により制御することで、電動モータ１００から入力される３相の交流電力を直流電力に変換して電源端子３１ａ，３１ｂから出力させることも可能である。
【００８２】
補足すると、インバータ１７の相数（アームの個数）は、電気負荷の作動に必要な交流電力の相数に合わせて設定される。また、電気負荷が直流電力の通電により作動する電気負荷（例えば直流モータ）である場合には、インバータ１７を省略できる。
【００８３】
以上の如く構成された電力伝送回路部１１は、電圧変換器１５，１６及びインバータ１７を制御する（詳しくは、前記半導体スイッチ素子２５，３３をオン・オフさせる制御信号（所定のデューティー比を有するデューティー信号）を電圧変換器１５，１６及びインバータ１７のそれぞれに与える）ことで、第１蓄電装置２、第２蓄電装置３及び電動モータ１００の間の電力伝送を制御することができる。
【００８４】
例えば、電動モータ１００の力行運転時に、第１蓄電装置２及び第２蓄電装置３の一方又は両方から電動モータ１００に給電すること、第１蓄電装置２から第２蓄電装置３に給電して、該第２蓄電装置３を充電すること、あるいは、電動モータ１００の回生運転時の回生電力を第１蓄電装置２及び第２蓄電装置３の一方又は両方に充電すること等を行うことができる。
【００８５】
なお、本実施形態では、第２蓄電装置３により第１蓄電装置２を充電することは行わないものの、当該充電を行うように電力伝送回路部１１を制御することも可能である。
【００８６】
制御装置５は、ＣＰＵ、ＲＡＭ、ＲＯＭ、インターフェース回路等を含む電子回路ユニットにより構成されている。なお、制御装置５は、相互に通信可能な複数の電子回路ユニットにより構成されていてもよい。
【００８７】
この制御装置５は、実装されるハードウェア構成又は実装されるプログラム（ソフトウェア構成）により実現される機能として、電力伝送回路部１１を制御することで、第１蓄電装置２、第２蓄電装置３及び電動モータ１００の間の電力伝送を制御する電力伝送制御部４１と、第１蓄電装置２及び第２蓄電装置３のそれぞれの残容量（所謂、ＳＯＣ）を検出する残容量検出部４２と、第１蓄電装置２及び第２蓄電装置３のそれぞれの故障の有無を検知する故障検知部４３と、制動装置６を制御する制動装置制御部４４とを含む。
【００８８】
そして、制御装置５には、上記の機能を実現するために必要な情報として、力行運転時の電動モータ１００で発生すべき駆動力（駆動トルク）の要求値である要求駆動力又は車両の減速時に電動モータ１００に作用させるべき制動力の要求値である要求制動力から成る要求駆動／制動力と、電動モータ１００の力行運転時における電力伝送回路部１１の制御形態を規定する制御モードと、各種のセンシングデータとが入力される。
【００８９】
上記要求駆動／制動力は、本実施形態の電力供給システム１が搭載された電動車両の走行時に、例えばアクセルペダルの操作量及びブレーキペダルの操作量のそれぞれの検出値等に応じて図示しない車両制御装置により設定される。
【００９０】
なお、要求駆動／制動力を設定する機能を制御装置５に持たせることも可能である。
【００９１】
上記制御モードは、例えば電動車両の運転者が、図示しないモード切替操作器を操作することで設定される。本実施形態では、後述する第１〜第３制御モードの３種類の制御モードが選択的に制御装置５に対して設定される。なお、制御モードは、電動車両の走行状態、走行環境等に応じて自動的に設定されるようになっていてもよい。
【００９２】
上記センシングデータとしては、例えば次のようなデータが制御装置５に入力される。すなわち、第１蓄電装置２の通電電流を検出する電流センサ５１、第１蓄電装置２の出力電圧を検出する電圧センサ５２、第１蓄電装置２の温度を検出する温度センサ５３、第２蓄電装置３の通電電流を検出する電流センサ５４、第２蓄電装置３の出力電圧を検出する電圧センサ５５、第２蓄電装置３の温度を検出する温度センサ５６、電圧変換器１５の入力側（第１蓄電装置２側）の電流及び電圧をそれぞれ検出する電流センサ５７及び電圧センサ５８、電圧変換器１５の出力側（インバータ１７側）の電流を検出する電流センサ５９、電圧変換器１６の入力側（第２蓄電装置３側）の電流及び電圧をそれぞれ検出する電流センサ６０及び電圧センサ６１、電圧変換器１６の出力側（インバータ１７）側の電流を検出する電流センサ６２、並びに、インバータ１７の入力側の電圧（電圧変換器１５，１６のそれぞれの出力側の電圧）を検出する電圧センサ６３のそれぞれの検出データが制御装置５に入力される。
【００９３】
そして、制御装置５の残容量検出部４２は、例えば、第１蓄電装置２に係る上記電流センサ５１、電圧センサ５２、及び温度センサ５３の検出データを用いて第１蓄電装置２の残容量を逐次検出（推定）する。また、残容量検出部４２は、例えば、第２蓄電装置３に係る上記電流センサ５４、電圧センサ５５、及び温度センサ５６の検出データを用いて第２蓄電装置３の残容量を逐次検出（推定）する。
【００９４】
ここで、蓄電装置の残容量の検出手法は、従来より種々様々な手法が提案されている。そして、第１蓄電装置２及び第２蓄電装置３の残容量を検出する手法としては、公知の手法を採用できる。
【００９５】
なお、第１蓄電装置２及び第２蓄電装置３のそれぞれの残容量を検出する手法は、通電電流、出力電圧及び温度のいずれかの検出データを使用しない手法、あるいは、その他の検出データを使用する手法であってもよい。また、第１蓄電装置２及び第２蓄電装置３のそれぞれの残容量の検出処理は、制御装置５とは別の検出装置で行ってもよい。
【００９６】
故障検知部４３は、例えば、第１蓄電装置２に係る上記電流センサ５１、電圧センサ５２、及び温度センサ５３の検出データを用いて該第１蓄電装置２の故障の有無を検知する。
【００９７】
また、故障検知部４３は、例えば、第２蓄電装置３に係る上記電流センサ５４、電圧センサ５５、及び温度センサ５６の検出データを用いて該第２蓄電装置３の故障の有無を検知する。
【００９８】
この場合、故障検知部４３は、例えば、第１蓄電装置２に係る電流センサ５１、電圧センサ５２、及び温度センサ５３のいずれかの検出値が、正常時の既定の範囲を逸脱した場合に、該第１蓄電装置２の故障が発生したことを検知する。同様に、故障検知部４３は、例えば、第２蓄電装置３に係る上記電流センサ５４、電圧センサ５５、及び温度センサ５６のいずれかの検出値が、正常時の既定の範囲を逸脱した場合に、該第２蓄電装置３の故障が発生したことを検知する。
【００９９】
なお、第１蓄電装置２及び第２蓄電装置３のそれぞれの故障の有無の検知処理は、制御装置５とは別の検出装置で行ってもよい。
【０１００】
また、第１蓄電装置２及び第２蓄電装置３のそれぞれの故障には、第１蓄電装置２及び第２蓄電装置３が正常であっても、第１蓄電装置２に係る電流センサ５１、電圧センサ５２、及び温度センサ５３、並びに、第２蓄電装置３に係る上記電流センサ５４、電圧センサ５５、及び温度センサ５６のいずれかのセンサが故障した場合が含まれていてもよい。
【０１０１】
また、電力伝送制御部４１は、例えば、上記電流センサ５７，５９，６０，６２及び電圧センサ５８，６１，６３の検出データと、電動モータ１００の要求駆動／制動力と、残容量検出部４２による第１蓄電装置２及び第２蓄電装置３のそれぞれの残容量の検出値とを適宜使用して、電力伝送回路部１１の電圧変換器１５，１６及びインバータ１７を制御する。
【０１０２】
さらに、電力伝送制御部４１は、電動モータ１００制動を行う状況（車両の減速時）において、電動モータ１００の回生運転により発生する回生制動力の代わりに、又は該回生制動力に加えて、制動装置６から電動モータ１００に付与すべき制動力（非回生制動力）の目標値Ｂr_cmdを適宜設定し、該目標値Ｂr_cmd（以下、目標制動力Ｂr_cmdという）を制動装置制御部４４に指令する。
【０１０３】
そして、制動装置制御部４４は、電力伝送制御部４１から目標制動力Ｂr_cmdが与えられた場合に、該目標制動力Ｂr_cmdに応じて制動装置６を制御する。
【０１０４】
（電力伝送制御部の制御処理）
次に、制御装置５の電力伝送制御部４１の制御処理を以下に詳細に説明する。なお、本実施形態では、第１蓄電装置２が正常である状態（第１蓄電装置２の故障が検知されていない状態）での電力伝送制御部４１の制御処理を説明し、第１蓄電装置２の故障が検知された状態での制御処理の説明は省略する。
【０１０５】
第１蓄電装置２及び第２蓄電装置３の両方が正常である場合には、車両の走行時において、制御装置５は、電力伝送制御部４１により図４のフローチャートに示す制御処理を所定の制御処理周期で逐次実行する。なお、図４のフローチャートに示す制御処理は、電動モータ１００の力行運転時の制御処理である。
【０１０６】
ＳＴＥＰ１において、電力伝送制御部４１は現在設定されている制御モードを取得する。さらにＳＴＥＰ２において、電力伝送制御部４１は、第１蓄電装置２の残容量ＳＯＣ１（以降、第１残容量ＳＯＣ１ということがある）の検出値と、第２蓄電装置３の残容量ＳＯＣ２（以降、第２残容量ＳＯＣ２ということがある）の検出値とをそれぞれ残容量検出部４２から取得する。
【０１０７】
次いで、電力伝送制御部４１は、第１残容量ＳＯＣ１の検出値が所定の閾値B1_th1以上であり、且つ、第２残容量ＳＯＣ２の検出値が所定の下限値B2_min以上であるという条件が成立するか否かをＳＴＥＰ３で判断する。
【０１０８】
第１残容量ＳＯＣ１に関する上記閾値B1_th1は、後述の通常併用制御処理を行う上で必要な第１残容量ＳＯＣ１の限界値としてあらかじめ定められた閾値である。この閾値B1_th1としては、例えば、電動モータ１００に一定の出力を発生させるために必要な給電量（例えば、車両を所定の車速でクルーズ走行させるために必要な給電量）を第１蓄電装置２だけから電動モータ１００に給電することが可能な限界の残容量値を採用することができる。該閾値B1_th1は、第１蓄電装置２の劣化を生じさせないように該第１蓄電装置２から外部に給電を行い得る限界の残容量値である下限値B1_min（ゼロに近い値）よりも若干高い値に設定されている。
【０１０９】
また、第２残容量ＳＯＣ２に関する下限値B2_minは、第２蓄電装置３の劣化を生じさせないように該第２蓄電装置３から外部に給電を行い得る限界の残容量値（ゼロに近い値）である。
【０１１０】
上記ＳＴＥＰ３の判断結果が肯定的となる状況は、第１残容量ＳＯＣ１及び第２残容量ＳＯＣ２が通常的な範囲（常用域）の値となっている状況である。この状況では、電力伝送制御部４１は、現在設定されている制御モードに対応する通常併用制御処理をＳＴＥＰ４で実行する。詳細は後述するが、該通常併用制御処理は、制御モードに応じた態様で、第１蓄電装置２及び第２蓄電装置３の一方又は両方から電動モータ１００への給電を行うと共に、第１蓄電装置２から電動モータ１００への給電時に、第１蓄電装置２から第２蓄電装置３への充電を適宜行うように電力伝送回路部１１を制御する処理である。
【０１１１】
上記通常併用制御処理の実行により、第２蓄電装置３は、適宜、第１蓄電装置２から充電されるものの、第１蓄電装置２の残容量ＳＯＣ１は減少していく。このため、第１残容量ＳＯＣ１が、やがて閾値B1_th1よりも小さくなってＳＴＥＰ３の判断結果が否定的となる。
【０１１２】
このようにＳＴＥＰ３の判断結果が否定的になると、電力伝送制御部４１は、次に、第１残容量ＳＯＣ１の検出値が前記下限値B1_min以上であり、且つ、第２残容量ＳＯＣ２の検出値が前記下限値B2_min以上であるという条件が成立するか否かをＳＴＥＰ５で判断する。
【０１１３】
このＳＴＥＰ５の判断結果が肯定的となる状況は、特に、第１蓄電装置２の残容量が残り少ない状況であるものの、ある程度の期間は、第１蓄電装置２と第２蓄電装置３との協働によって、電動モータ１００に要求駆動力を発生せるように該電動モータ１００に給電し得る状況である。
【０１１４】
この状況では、電力伝送制御部４１は、停止延長制御処理をＳＴＥＰ６で実行する。詳細は後述するが、停止延長制御処理は、第１蓄電装置２及び第２蓄電装置３の両方の残容量を極力消費するように電力伝送回路部１１を制御する処理である。
【０１１５】
また、ＳＴＥＰ５の判断結果が否定的となる状況は、第１蓄電装置２及び第２蓄電装置３から電動モータ１００に給電することが困難な状況である。この状況では、電力伝送制御部４１は、停止処理をＳＴＥＰ７で実行する。この停止処理では、電力伝送制御部４１は、第１蓄電装置２及び第２蓄電装置３の出力（負荷側への放電）を遮断し、且つその遮断状態を保持するように、電圧変換器１５，１６又はコンタクタ１２，１３を制御する。
【０１１６】
なお、この停止処理では、制御装置５は、第１蓄電装置２及び第２蓄電装置３の残容量不足によって、車両の走行を行うことができなくなった旨、あるいは、電動モータ１００を作動させることができなくなった旨等を車両の運転者に報知するための報知出力（視覚的な出力又は聴覚的な出力）を発生する。
【０１１７】
（通常併用制御処理）
次に、前記ＳＴＥＰ４の通常併用制御処理を詳細に説明する。ここで、以降の説明における用語に関して補足しておく。
【０１１８】
以降の説明においては、第１蓄電装置２及び第２蓄電装置３のそれぞれの「出力」もしくは「入力」、あるいは、「給電量」もしくは「充電量」は、例えば電力値（単位時間当たりの電気エネルギー量）により表される電気量であるとする。
【０１１９】
また、電動モータ１００の「要求駆動力DT_dmdに対応する給電量」というのは、その給電量を電動モータ１００に給電したときに、該電動モータ１００が発生する駆動力が要求駆動力DT_dmdに一致もしくはほぼ一致することとなる給電量を意味する。
【０１２０】
この「要求駆動力DT_dmdに対応する給電量」は、「給電量」が電力値により表される電気量である場合、要求駆動力DT_dmdと電動モータ１００の回転速度（詳しくは電動モータ１００のロータ又は出力軸の回転速度）とに応じたものとなる。この場合、「要求駆動力DT_dmdに対応する給電量」の値は、例えば、該要求駆動力DT_dmdと電動モータ１００の回転速度の検出値とから、マップ又は演算式により求めることができる。
【０１２１】
また、要求駆動力DT__dmdに関する任意の「閾値に対応する給電量」というのは、要求駆動力DT_dmdを該閾値に一致させた場合における該要求駆動力DT_dmdに対応する給電量を意味する。
【０１２２】
（第１制御モード）
以上を前提事項として、制御モードが、第１〜第３制御モードのうちの基本の制御モードとしての第１制御モードに設定されている場合について図５〜図１０を参照して説明する。
【０１２３】
第１制御モードは、第１蓄電装置２及び第２蓄電装置３の劣化の進行をできるだけ抑制し得るように電力伝送回路部１１の制御を行う制御モードである。
【０１２４】
この第１制御モードにおける通常併用制御処理の概要を図５を参照して説明しておく。図５は、第１制御モードにおいて、電動モータ１００の要求駆動力DT_dmdに応じて該電動モータ１００に給電すべき電気量（給電量）に対する第１蓄電装置２及び第２蓄電装置３のそれぞれの出力の負担形態と、第２残容量ＳＯＣ２との関係をマップ形態で表した図である。
【０１２５】
図５の斜線領域は、電動モータ１００への給電量の全体又は一部を第１蓄電装置２が負担する領域、点描領域は、該給電量の全体又は一部を第２蓄電装置３が負担する領域を表している。
【０１２６】
より詳しくは、要求駆動力DT_dmd＝０となるライン（横軸）に接する斜線領域は、第１蓄電装置２だけが、電動モータ１００への給電量の全体を負担する領域を表し、該ライン（横軸）に接する点描領域は、第２蓄電装置３だけが、電動モータ１００への給電量の全体を負担する領域を表している。
【０１２７】
また、斜線領域の上側の点描領域、又は点描領域の上側の斜線領域は、電動モータ１００への給電量を、第１蓄電装置２と第２蓄電装置との両方が負担する領域を表している。
【０１２８】
第１制御モードにおける通常併用制御処理では、図５に示すように、第２残容量ＳＯＣ２の値が、ＳＯＣ２≧B2_th1となる高残容量領域（満充電状態の残容量値（１００％）を含む）に属する場合と、B2_th1＞ＳＯＣ２≧B2_th2となる中残容量領域に属する場合と、B2_th2＞ＳＯＣ２となる低残容量領域に属する場合とで、電動モータ１００の要求駆動力DT_dmdに応じた第１蓄電装置２及び第２蓄電装置３のそれぞれの出力の負担形態が大別されている。そして、高、中、低の各残容量領域に対応する負担形態で、電動モータ１００の要求駆動力DT_dmdに対応する給電量が、第１蓄電装置２及び第２蓄電装置３の一方、又は両方から電動モータ１００に給電される。
【０１２９】
なお、本実施形態では、通常併用制御処理は、第２残容量ＳＯＣ２の検出値が前記下限値B2_min以上である場合に行われる処理であるので、前記低残容量領域は、より詳しくは、B2_th2＞ＳＯＣ２≧B2_minとなる残容量領域である。
【０１３０】
ここで、図５において、第２残容量ＳＯＣ２を区分する上記閾値B2_th1，B2_th2は、第１制御モード用として、あらかじめ定められた閾値（固定値）である。これらの閾値B2_th1，B2_th2は、該閾値B2_th1，B2_th2により範囲が規定される中残容量領域が、第２蓄電装置３の劣化の進行を極力抑制する上で、実際の第２残容量ＳＯＣ２の値が属することが好ましい残容量領域となるように、あらかじめ実験等に基づき設定されている。従って、閾値B2_th1，B2_th2により範囲が規定される中残容量領域は、実際の第２残容量ＳＯＣ２の値を極力、該中残容量領域に維持するようにして第２蓄電装置３の充放電を行った場合に、第２蓄電装置３の劣化の進行を好適に抑制し得る残容量領域である。
【０１３１】
以下、第１制御モードにおける通常併用制御処理を具体的に説明する。
【０１３２】
通常併用制御処理では、電力伝送制御部４１は、図６〜図８のフローチャートに示す処理を所定の制御処理周期で逐次実行する。
【０１３３】
ＳＴＥＰ１１において、電力伝送制御部４１は、電動モータ１００の要求駆動力DT_dmdを取得する。そして、電力伝送制御部４１は、前記ＳＴＥＰ２で取得した第２残容量ＳＯＣ２の検出値が、前記高残容量領域の下限値である前記閾値B2_th1以上であるか否かをＳＴＥＰ１２で判断する。
【０１３４】
このＳＴＥＰ１２の判断結果が肯定的となる状況は、ＳＯＣ２の検出値が高残容量領域に属する状況である。この場合には、電力伝送制御部４１は、次に、ＳＴＥＰ１３において、要求駆動力DT_dmdが所定の閾値DT_th1よりも大きいか否かを判断する。
【０１３５】
上記閾値DT_th1は、本実施形態の一例では、あらかじめ定められた所定の一定値（固定値）である。この閾値DT_th1としては、例えば、第２残容量ＳＯＣ２が高残容量領域に属する状態で、第２蓄電装置３だけからの給電によって電動モータ１００で発生させ得る上限の駆動力値又はそれに近い駆動力値を採用し得る。なお、より適切に第２蓄電装置３の劣化を抑制すべく、閾値DT_th1は温度センサ５６による第２蓄電装置３の温度の検出値などによって可変に設定されてもよい。
【０１３６】
ＳＴＥＰ１３の判断結果が肯定的となる状況は、図５の高残容量領域のうちの斜線領域の状況である。この場合には、電力伝送制御部４１は、ＳＴＥＰ１４において、第２蓄電装置３の出力Ｐ２が、閾値DT_th1に対応する給電量に一致し、且つ、第１蓄電装置２の出力Ｐ１が、要求駆動力DT_dmdに対応する給電量から、第２蓄電装置３の負担分の出力Ｐ２を差し引いた不足分の給電量に一致するように電力伝送回路部１１を制御する。
【０１３７】
なお、第１蓄電装置２の出力Ｐ１は、詳しくは、第１蓄電装置２から出力される電気量（放電量）であり、第２蓄電装置３の出力Ｐ２は、詳しくは、第２蓄電装置３から出力される電気量（放電量）である。
【０１３８】
これにより、第１蓄電装置２及び第２蓄電装置３のそれぞれの出力Ｐ１，Ｐ２の総和が、要求駆動力DT_dmdに対応する給電量に一致するようにして、第１蓄電装置２及び第２蓄電装置３の両方から電動モータ１００に要求駆動力DT_dmdに対応する給電量が給電される。また、このとき、要求駆動力DT_dmdに対応する給電量のうちの第２蓄電装置３の負担分（出力Ｐ２）は、閾値DT_th1に対応する給電量とされる。
【０１３９】
上記ＳＴＥＰ１４の処理は、具体的には、例えば次のように実行することができる。すなわち、電動モータ１００の回転速度の検出値等に応じて、インバータ１７の入力電圧（＝電圧変換器１５，１６の出力電圧）の目標値が設定される。さらに、閾値DT_th1に対応する給電量が、電圧変換器１６の出力電力の目標値として設定されると共に、要求駆動力DT_dmdに対応する給電量から、第２蓄電装置３の負担分の出力Ｐ２（＝閾値DT_th1に対応する給電量）を差し引いた給電量が、電圧変換器１５の出力電力の目標値として設定される。
【０１４０】
そして、インバータ１７の入力電圧の目標値と電圧変換器１５，１６のそれぞれの出力電力の目標値を実現するように電圧変換器１５，１６が制御信号（デューティ信号）により制御される。同時に、インバータ１７は、要求駆動力DT_dmdに応じて設定される目標電力、又は該目標電力をリミット処理（各蓄電装置２，３の出力を制限するためのリミット処理）により制限してなる目標電力を実現し得る目標電流を電動モータ１００に通電するように、制御信号（デューティー信号）を通じてフィードバック制御される。
【０１４１】
一方、ＳＴＥＰ１３の判断結果が否定的となる状況は、図５の高残容量領域のうちの点描領域の状況である。この場合には、電力伝送制御部４１は、ＳＴＥＰ１５において、第２蓄電装置３の出力Ｐ２が、要求駆動力DT_dmdに対応する給電量に一致するように電力伝送回路部１１を制御する。
【０１４２】
これにより、第１蓄電装置２を使用せずに、第２蓄電装置３だけから要求駆動力DT_dmdに対応する給電量が電動モータ１００に給電される。
【０１４３】
上記ＳＴＥＰ１５の処理は、具体的には、例えば次のように実行することができる。すなわち、電動モータ１００の回転速度の検出値等に応じて、インバータ１７の入力電圧（＝電圧変換器１６の出力電圧）の目標値が設定される。さらに、要求駆動力DT_dmdに対応する給電量が、電圧変換器１６の出力電力の目標値として設定される。
【０１４４】
そして、インバータ１７の入力電圧の目標値と電圧変換器１６の出力電力の目標値を実現するように電圧変換器１６が制御される。同時に、インバータ１７は、要求駆動力DT_dmdに対応する目標電流を電動モータ１００に通電するようにフィードバック制御される。
【０１４５】
また、電圧変換器１５は通電遮断状態に制御される。あるいは、第１蓄電装置２側のコンタクタ１２がオフ状態に制御される。
【０１４６】
以上のように、第２残容量ＳＯＣ２の検出値が高残容量領域に属する場合には、電動モータ１００の力行運転中に、第１蓄電装置２及び第２蓄電装置３のうちの少なくとも第２蓄電装置３を含む蓄電装置から電動モータ１００への給電が行われる。従って、第２蓄電装置３を積極的に放電させ、該第２蓄電装置３の残容量ＳＯＣ２を中残容量領域に近づけていくようにすることができる。従って、電動モータ１００の要求駆動力DT_dmdを満たしつつ、前記第２蓄電装置３の劣化の抑制を図ることができる。
【０１４７】
補足すると、前記ＳＴＥＰ１３の判断処理で使用する閾値DT_th1は、上記と異なる態様で設定することも可能である。例えば、閾値DT_th1に対応する給電量が所定の一定値（例えば、第２蓄電装置３が高残容量領域において出力可能な上限の給電量又はそれに近い一定値の給電量）となるように該閾値DT_th1を設定してもよい。また、閾値DT_th1を、第２残容量ＳＯＣ２の検出値に応じて変化させるように設定してもよい。
【０１４８】
前記ＳＴＥＰ１２の判断結果が否定的である場合には、電力伝送制御部４１は、さらに、ＳＴＥＰ１６において、第２残容量ＳＯＣ２の検出値が、前記中残容量領域の下限値である前記閾値B2_th2以上であるか否かを判断する。
【０１４９】
このＳＴＥＰ１６の判断結果が肯定的となる状況は、ＳＯＣ２の検出値が中残容量領域に属する状況である。この状況では、電力伝送制御部４１は、次に、ＳＴＥＰ１７（図７を参照）において、要求駆動力DT_dmdが所定の閾値DT_th2よりも大きいか否かを判断する。
【０１５０】
この場合、所定の閾値DT_th2は、本実施形態の一例では、例えば図５に示すように、第２残容量ＳＯＣ２の検出値に応じて可変的に設定される閾値である。詳しくは、ＳＯＣ２の検出値が小さくなるに伴い、閾値DT_th2が大きくなるように設定される。また、閾値DT_th2は、後述する基本給電量Ｐ１_baseを電動モータ１００に給電した場合に該電動モータ１００が発生し得る駆動力よりも大きい駆動力値に設定される。
【０１５１】
ＳＴＥＰ１７の判断結果が肯定的となる状況は、図５の中残容量領域のうちの点描領域の上側の斜線領域の状況である。この場合には、電力伝送制御部４１は、ＳＴＥＰ１８において、第２蓄電装置３の出力Ｐ２が、所定値の給電量に一致し、且つ、第１蓄電装置２の出力Ｐ１が、要求駆動力DT_dmdに対応する給電量から、第２蓄電装置３の負担分の出力Ｐ２を差し引いた不足分の給電量に一致するように電力伝送回路部１１を制御する。
【０１５２】
この場合の電力伝送回路部１１の具体的な制御は、図６のＳＴＥＰ１４と同様に行うことができる。
【０１５３】
これにより、第１蓄電装置２及び第２蓄電装置３のそれぞれの出力Ｐ１，Ｐ２の総和が、要求駆動力DT_dmdに対応する給電量に一致するようにして、第１蓄電装置２及び第２蓄電装置３の両方から電動モータ１００に要求駆動力DT_dmdに対応する給電量が給電される。また、このとき、要求駆動力DT_dmdに対応する給電量のうちの第２蓄電装置３の負担分は、所定値の給電量とされる。
【０１５４】
この場合、第２蓄電装置３から出力させる所定値の給電量としては、例えば、第２蓄電装置３が中残容量領域において出力可能な上限の給電量又はそれに近い一定値の給電量を採用し得る。また、当該所定値の給電量として、例えば、第２残容量ＳＯＣ２の検出値に応じて変化するように設定した給電量を使用することも可能である。
【０１５５】
一方、ＳＴＥＰ１７の判断結果が否定的となる場合には、電力伝送制御部４１は、次に、ＳＴＥＰ１９において、第１蓄電装置２の出力Ｐ１の基本値である基本給電量Ｐ１_baseを第２残容量ＳＯＣ２の検出値に応じて決定する。
【０１５６】
ここで、上記基本給電量Ｐ１_baseは、第２残容量ＳＯＣ２の検出値が中残容量領域又は低残容量領域に属する状態で、要求駆動力DT_dmdによらずに、第１蓄電装置２から出力させる下限の電気量である。すなわち、本実施形態では、第２残容量ＳＯＣ２の検出値が中残容量領域又は低残容量領域に属する状態では、要求駆動力DT_dmdによらずに、第１蓄電装置２から、基本給電量Ｐ１_base、又はそれよりも大きい給電量が出力されるように電力伝送回路部１１が制御される。
【０１５７】
上記基本給電量Ｐ１_baseは、例えば図９のフローチャートで示す如く設定される。すなわち、電力伝送制御部４１は、ＳＴＥＰ３１において、第２残容量ＳＯＣ２の検出値に応じた基本給電量Ｐ１_baseの変化のパターンを規定する係数αを該ＳＯＣ２の検出値に応じて決定する。
【０１５８】
この場合、係数αは、ＳＯＣ２の検出値から、あらかじめ作成されたマップあるいは演算式を用いて、例えば図１０のグラフで示すパターンで設定される。この例では、係数αの値は、「０」から「１」までの範囲内の値である。そして、該係数αの値は、第２蓄電装置３の中残容量領域及び低残容量領域を合わせた残容量領域（低側残容量領域）において、基本的には、ＳＯＣ２の検出値が小さいほど、大きくなるように設定される。
【０１５９】
より詳しくは、ＳＯＣ２の検出値が中残容量領域に属する場合には、係数αの値は、ＳＯＣ２の検出値が中残容量領域の上限の閾値B2_th1から下限の閾値B2_th2まで減少するに伴い、「０」から「１」まで連続的に増加していくように設定される。
【０１６０】
また、第２残容量ＳＯＣ２の検出値が低残容量領域に属する場合には、αの値は、最大値「１」に設定される。
【０１６１】
次いで、ＳＴＥＰ３２において、電力伝送制御部４１は、上記の如く決定した係数αの値を、あらかじめ定めた所定値（固定値）の給電量Ｐ１ｂに乗じることによって、基本給電量Ｐ１_base（＝α×Ｐ１ｂ）を算出する。給電量Ｐ１ｂは、基本給電量Ｐ１_baseの最大値である。
【０１６２】
これにより、基本給電量Ｐ１_baseは、第２残容量ＳＯＣ２の検出値に応じて、係数αと同じパターンで変化するように決定される。
【０１６３】
なお、例えば、第１残容量ＳＯＣ１の検出値等に応じて第１蓄電装置２の出力Ｐ１の上限値を設定しておき、上記の如く算出した基本給電量Ｐ１_baseが当該上限値を超えた場合に、該基本給電量Ｐ１_baseを強制的に当該上限値に制限するリミット処理をＳＴＥＰ３２の処理に続いて実行することで、基本給電量Ｐ１_baseを確定するようにしてもよい。
【０１６４】
また、例えば、ＳＴＥＰ３１，３２の処理の代わりに、第２残容量ＳＯＣ２の検出値から、あらかじめ作成されたマップあるいは演算式を用いて、直接的に基本給電量Ｐ１_baseを決定するようにしてもよい。
【０１６５】
図７に戻って、上記の如くＳＴＥＰ１９の処理を実行した後、電力伝送制御部４１は、次に、ＳＴＥＰ２０において、要求駆動力DT_dmdに対応する給電量が、基本給電量Ｐ１_base以下であるか否かを判断する。このＳＴＥＰ２０の判断処理は、要求駆動力DT_dmdが、基本給電量Ｐ１_baseを電動モータ１００の回転速度の検出値に応じて駆動力値に換算してなる閾値以下であるか否かを判断する処理と等価である。そして、この場合における当該閾値が、図５に破線で示す閾値DT_th4である。なお、図５に破線で示す閾値DT_th4は、電動モータ１００の回転速度を一定とした場合の閾値である。
【０１６６】
ＳＴＥＰ２０の判断結果が肯定的となる状況は、図５の中残容量領域のうちの最下段の斜線領域の状況である。この状況では、電力伝送制御部４１は、ＳＴＥＰ２１において、第１蓄電装置２の出力Ｐ１が、基本給電量Ｐ１_baseに一致し、第２蓄電装置３の入力、すなわち充電量が、基本給電量Ｐ１_baseから要求駆動力DT_dmdに対応する給電量を差し引いた余剰分の給電量（余剰分給電量）に一致するように電力伝送回路部１１を制御する。
【０１６７】
これにより、要求駆動力DT_dmdによらずに、第２残容量ＳＯＣ２の検出値に応じて前記した如く設定された基本給電量Ｐ１_baseを第１蓄電装置２から出力させつつ、該基本給電量Ｐ１_baseのうちの要求駆動力DT_dmdに対応する給電量が第１蓄電装置２から電動モータ１００に給電され、且つ、基本給電量Ｐ１_baseから要求駆動力DT_dmdに対応する給電量を差し引いた余剰分給電量が第１蓄電装置２から第２蓄電装置３に充電される。
【０１６８】
上記ＳＴＥＰ２１の処理は、具体的には、例えば次のように実行することができる。すなわち、電動モータ１００の回転速度の検出値等に応じて、インバータ１７の入力電圧（＝電圧変換器１５の出力電圧）の目標値が設定される。さらに、基本給電量Ｐ１_baseが、電圧変換器１５の出力電力の目標値として設定されると共に、基本給電量Ｐ１_baseから要求駆動力DT_dmdに対応する給電量を差し引いた給電量が、電圧変換器１６の入力側（第２蓄電装置３側）から第２蓄電装置３への供給電力の目標値として設定される。
【０１６９】
そして、インバータ１７の入力電圧の目標値と電圧変換器１５の出力電力の目標値を実現するように電圧変換器１５が制御されると共に、電圧変換器１６から第２蓄電装置３への供給電力の目標値を実現するように電圧変換器１６が制御される。同時に、インバータ１７は、要求駆動力DT_dmdに対応する目標電流を電動モータ１００に通電するようにフィードバック制御される。
【０１７０】
なお、基本給電量Ｐ１_baseが、要求駆動力DT_dmdに対応する給電量に一致する場合には、第２蓄電装置３の入力（充電量）がゼロとなるので、電圧変換器１６は通電遮断状態に制御され、あるいは、第２蓄電装置３側のコンタクタ１３がオフ状態に制御される。
【０１７１】
一方、ＳＴＥＰ２０の判断結果が否定的となる状況は、図５の中残容量領域のうちの点描領域の状況である。この場合には、電力伝送制御部４１は、ＳＴＥＰ２２において、第１蓄電装置２の出力Ｐ１が、基本給電量Ｐ１_baseに一致し、且つ、第２蓄電装置の出力Ｐ２が要求駆動力DT_dmdに対応する給電量から基本給電量Ｐ１_baseを差し引いた不足分の給電量に一致するように電力伝送回路部１１を制御する。
【０１７２】
この場合の電力伝送回路部１１の具体的な制御は、図６のＳＴＥＰ１４と同様に行うことができる。
【０１７３】
これにより、第１蓄電装置２及び第２蓄電装置３のそれぞれの出力Ｐ１，Ｐ２の総和が、要求駆動力DT_dmdに対応する給電量に一致するようにして、第１蓄電装置２及び第２蓄電装置３の両方から電動モータ１００に要求駆動力DT_dmdに対応する給電量が給電される。また、このとき、要求駆動力DT_dmdに対応する給電量のうちの第１蓄電装置２の負担分（出力Ｐ１）は、第２残容量ＳＯＣ２の検出値に応じて前記の如く設定された基本給電量Ｐ１_baseとされる。
【０１７４】
補足すると、上記ＳＴＥＰ２２において、第２蓄電装置３の出力Ｐ２（要求駆動力DT_dmdに対応する給電量から基本給電量Ｐ１_baseを差し引いた不足分の給電量）が、中残容量領域における第２蓄電装置３が出力可能な上限の給電量を超える場合には、該第２蓄電装置３の出力Ｐ２を当該上限の給電量に制限し、前記ＳＴＥＰ１８と同様の処理により電力伝送回路部１１を制御するようにしてもよい。
【０１７５】
あるいは、前記ＳＴＥＰ１７の判断処理における閾値DT_th2を、該閾値DT_th2に対応する給電量が、前記基本給電量Ｐ１_baseに、第２蓄電装置３の上限の給電量又はそれに近い一定値の給電量を加算した値に一致するように設定してもよい。
【０１７６】
以上のように、第２残容量ＳＯＣ２の検出値が中残容量領域に属する場合には、電動モータ１００の力行運転中に、第１蓄電装置２及び第２蓄電装置３のうちの少なくとも第１蓄電装置２を含む蓄電装置から電動モータ１００への給電が行われる。
【０１７７】
また、要求駆動力DT_dmdが前記閾値DT_th2以下である場合において、第１蓄電装置２の出力Ｐ１は、第２残容量ＳＯＣ２の検出値に応じて設定された基本給電量Ｐ１_baseに保持される。そして、基本給電量Ｐ１_baseが、要求駆動力DT_dmdに対応する給電量よりも大きい場合（換言すれば、要求駆動力DT_dmdが、基本給電量Ｐ１_baseを電動モータ１００の駆動力値に換算してなる閾値DT_th4よりも小さい場合）には、基本給電量Ｐ１_baseのうちの要求駆動力DT_dmdに対応する給電量が第１蓄電装置２だけから電動モータ１００に給電されると同時に、余剰分の給電量が第２蓄電装置３に充電される。
【０１７８】
さらに、要求駆動力DT_dmdが前記閾値DT_th2以下である場合において、基本給電量Ｐ１_baseが、要求駆動力DT_dmdに対応する給電量よりも小さい場合（換言すれば、要求駆動力DT_dmdが、閾値DT_th4よりも大きい場合）には、第１蓄電装置２から基本給電量Ｐ１_baseが電動モータ１００に給電されると共に、不足分の給電量が第２蓄電装置３から電動モータ１００に給電される。
【０１７９】
従って、第２残容量ＳＯＣ２の検出値が中残容量領域に属する場合には、高残容量領域に属する場合に比して、第２蓄電装置３から電動モータ１００への給電を行う状況が生じ難くなる。さらに、第２残容量ＳＯＣ２が低下していくに伴い、第１蓄電装置２から第２蓄電装置３への充電が行われることとなる要求駆動力DT_dmdの範囲が拡大すると共に、第２蓄電装置３の充電量が増加しやすくなる。
【０１８０】
この結果、第２残容量ＳＯＣ２が、中残容量領域に極力保たれるようにすることができる。ひいては、第２蓄電装置３の劣化の進行を極力抑制することができる。
【０１８１】
また、要求駆動力DT_dmdが前記閾値DT_th2以下である場合においては、第１蓄電装置２から出力させる基本給電量Ｐ１_baseが、要求駆動力DT_dmdによらずに、第２残容量ＳＯＣ２に応じて設定される。このため、第２蓄電装置３の出力Ｐ２又は入力は、要求駆動力DT_dmdの変動に追従して変動する一方、第１蓄電装置２の出力Ｐ１の変動は、要求駆動力DT_dmdの変動に対して低感度なものとなる。
【０１８２】
この結果、第１蓄電装置２の出力Ｐ１は、頻繁な変動を生じ難い、安定性の高いものとなる。ひいては、第１蓄電装置２の劣化の進行を極力抑制できることとなる。
【０１８３】
次に、前記ＳＴＥＰ１６の判断結果が否定的となる状況は、第２残容量ＳＯＣ２の検出値が低残容量領域に属する状況である。この状況では、電力伝送制御部４１は、次に、ＳＴＥＰ２３（図８を参照）において、要求駆動力DT_dmdが所定の閾値DT_th3よりも大きいか否かを判断する。
【０１８４】
この場合、所定の閾値DT_th3は、本実施形態の一例では、所定の一定値に設定される。また、閾値DT_th3は、第２残容量ＳＯＣ２に応じて前記した如く設定される基本給電量Ｐ１_baseを電動モータ１００に給電した場合に該電動モータ１００が発生し得る駆動力よりも大きい駆動力値に設定される。
【０１８５】
なお、閾値DT_th3を、該閾値DT_th3に対応する給電量が、第１蓄電装置２の上限の給電量（＞Ｐ１_base）又はそれに近い一定値の給電量となるように設定してもよい。
【０１８６】
ＳＴＥＰ２３の判断結果が肯定的となる状況は、図５の低残容量領域のうちの点描領域の状況である。この場合には、電力伝送制御部４１は、ＳＴＥＰ２４において、第１蓄電装置２の出力Ｐ１が、所定値の給電量に一致し、且つ、第２蓄電装置３の出力Ｐ２が、要求駆動力DT_dmdに対応する給電量から、第１蓄電装置２の負担分の出力Ｐ１を差し引いた不足分の給電量に一致するように電力伝送回路部１１を制御する。
【０１８７】
この場合の電力伝送回路部１１の具体的な制御は、図６のＳＴＥＰ１４と同様に行うことができる。
【０１８８】
これにより、第１蓄電装置２及び第２蓄電装置３のそれぞれの出力Ｐ１，Ｐ２の総和が、要求駆動力DT_dmdに対応する給電量に一致するようにして、第１蓄電装置２及び第２蓄電装置３の両方から電動モータ１００に要求駆動力DT_dmdに対応する給電量が給電される。また、このとき、要求駆動力DT_dmdに対応する給電量のうちの第１蓄電装置２の負担分は、所定値の給電量とされる。
【０１８９】
この場合、第１蓄電装置２から出力させる所定値の給電量としては、例えば、第１蓄電装置２が出力可能な上限の給電量又はそれに近い一定値の給電量を採用し得る。また、当該所定値の給電量として、第１残容量ＳＯＣ１の検出値及び第２残容量ＳＯＣ２の検出値の一方又は両方に応じて変化するように設定した給電量を使用することも可能である。
【０１９０】
一方、ＳＴＥＰ２３の判断結果が否定的となる場合には、電力伝送制御部４１は、次に、ＳＴＥＰ２５において、第１蓄電装置２の出力Ｐ１の基本値である基本給電量Ｐ１_baseを第２残容量ＳＯＣ２の検出値に応じて決定する。
【０１９１】
このＳＴＥＰ２５の処理は、前記ＳＴＥＰ１９の処理と同じである。ここで、本実施形態では、低残容量領域における前記係数αが最大値「１」であるので、ＳＴＥＰ２５で決定される基本給電量Ｐ１_baseは、最大値Ｐ１ｂである。
【０１９２】
なお、ＳＴＥＰ１９の処理の場合と同様に、例えば、第１残容量ＳＯＣ１の検出値等に応じて第１蓄電装置２の出力Ｐ１の上限値を設定しておき、第２残容量ＳＯＣ２に応じて決定した基本給電量Ｐ１_baseが当該上限値を超えた場合に、該基本給電量Ｐ１_baseを強制的に当該上限値に制限するようにしてもよい。
【０１９３】
また、例えば、ＳＴＥＰ２５で図９のフローチャートの処理を実行する代わりに、第２残容量ＳＯＣ２の検出値から、あらかじめ作成されたマップあるいは演算式を用いて、直接的に基本給電量Ｐ１_baseを決定するようにしてもよい。
【０１９４】
ＳＴＥＰ２５の処理を実行した後、電力伝送制御部４１は、次に、ＳＴＥＰ２６において、要求駆動力DT_dmdに対応する給電量が、基本給電量Ｐ１_base以下であるか否かを判断する。このＳＴＥＰ２６の判断処理は、前記ＳＴＥＰ２０の判断処理と同様に、要求駆動力DT_dmdが、基本給電量Ｐ１を電動モータ１００の回転速度の検出値に応じて駆動力値に換算してなる閾値DT_th4（図５参照）以下であるか否かを判断する処理と等価である。
【０１９５】
ＳＴＥＰ２６の判断結果が肯定的となる状況は、図５の低残容量領域のうちの斜線領域で、且つ、要求駆動力DT_dmdが閾値DT_th4以下となる状況である。この状況では、電力伝送制御部４１は、ＳＴＥＰ２７において、第１蓄電装置２の出力Ｐ１が、基本給電量Ｐ１_baseに一致し、且つ、第２蓄電装置３の入力（充電量）が、基本給電量Ｐ１_baseから要求駆動力DT_dmdに対応する給電量を差し引いた余剰分の給電量に一致するように電力伝送回路部１１を制御する。
【０１９６】
この場合の電力伝送回路部１１の具体的な制御は、図７のＳＴＥＰ２１と同様に行うことができる。
【０１９７】
これにより、要求駆動力DT_dmdによらずに、第２残容量ＳＯＣ２の検出値に応じて前記した如く設定された基本給電量Ｐ１_baseを第１蓄電装置２から出力させつつ、該基本給電量Ｐ１_baseのうちの要求駆動力DT_dmdに対応する給電量が第１蓄電装置２から電動モータ１００に給電され、且つ、基本給電量Ｐ１_baseから要求駆動力DT_dmdに対応する給電量を差し引いた余剰分の給電量が第１蓄電装置２から第２蓄電装置３に充電される。
【０１９８】
一方、ＳＴＥＰ２６の判断結果が否定的となる状況は、図５の低残容量領域のうちの斜線領域で、且つ要求駆動力DT_dmdが閾値DT_th4よりも大きい状況である。この場合には、電力伝送制御部４１は、ＳＴＥＰ２８において、第１蓄電装置２の出力Ｐ１が、要求駆動力DT_dmdに対応する給電量に一致するように電力伝送回路部１１を制御する。
【０１９９】
これにより、第２蓄電装置３を使用せずに、第１蓄電装置２だけから要求駆動力DT_dmdに対応する給電量が電動モータ１００に給電される。
【０２００】
上記ＳＴＥＰ２８の処理は、具体的には、例えば次のように実行することができる。すなわち、電動モータ１００の回転速度の検出値等に応じて、インバータ１７の入力電圧（＝電圧変換器１５の出力電圧）の目標値が設定される。さらに、要求駆動力DT_dmdに対応する給電量が、電圧変換器１５の出力電力の目標値として設定される。
【０２０１】
そして、インバータ１７の入力電圧の目標値と電圧変換器１５の出力電力の目標値を実現するように電圧変換器１５が制御信号（デューティ信号）により制御される。同時に、インバータ１７は、要求駆動力DT_dmdに応じて設定される目標電力、又は該目標電力をリミット処理（第１蓄電装置２の出力を制限するためのリミット処理）により制限してなる目標電力を実現し得る目標電流を電動モータ１００に通電するように、制御信号（デューティー信号）を通じてフィードバック制御される。
【０２０２】
また、電圧変換器１６は通電遮断状態に制御される。あるいは、第２蓄電装置３側のコンタクタ１３がオフ状態に制御される。
【０２０３】
以上のように、第２残容量ＳＯＣ２の検出値が低残容量領域に属する場合には、電動モータ１００の力行運転中に、第１蓄電装置２及び第２蓄電装置３のうちの少なくとも第１蓄電装置２を含む蓄電装置から電動モータ１００への給電が行われる。
【０２０４】
また、要求駆動力DT_dmdに対応する給電量が、基本給電量Ｐ１_base以下である場合には、第１蓄電装置２の出力Ｐ１は、要求駆動力DT_dmdによらずに、基本給電量Ｐ１_baseに保持される。そして、基本給電量Ｐ１_baseのうちの要求駆動力DT_dmdに対応する給電量が第１蓄電装置２だけから電動モータ１００に給電されると同時に、余剰分の給電量が第２蓄電装置３の充電に使用される。このため、第２蓄電装置３の入力は、要求駆動力DT_dmdの変動に追従して変動する一方、第１蓄電装置２の出力Ｐ１（＝Ｐ１_base）の変動は、要求駆動力DT_dmdの変動に対して低感度なものとなる。
【０２０５】
また、要求駆動力DT_dmdに対応する給電量が、基本給電量Ｐ１_baseよりも大きい場合には、要求駆動力DT_dmdが閾値DT_th3を超えるまでは、第１蓄電装置２だけから電動モータ１００に要求駆動力DT_dmdに対応する給電量が給電され、要求駆動力DT_dmdが閾値DT_th3を超えた場合にだけ、要求駆動力DT_dmdに対応する給電量の一部を第２蓄電装置３が負担する。
【０２０６】
従って、第２残容量ＳＯＣ２の検出値が低残容量領域に属する場合には、高残容量領域又は中残容量領域に属する場合に比して、第２蓄電装置３から電動モータ１００への給電を行う状況が生じ難くなる。
【０２０７】
さらに、低残容量領域での基本給電量Ｐ１_baseが最大値Ｐ１ｂであることから、第１蓄電装置２から第２蓄電装置３への充電が行われることとなる要求駆動力DT_dmdの範囲及び充電量が中残容量領域に比して大きいものとなる。
【０２０８】
この結果、要求駆動力DT_dmdが閾値DT_th3よりも大きなものとなる状態が継続しないい限り、第２残容量ＳＯＣ２が、低残容量領域から中残容量領域に復帰しやすくなる。
【０２０９】
また、要求駆動力DT_dmdに対応する給電量が、基本給電量Ｐ１_base以下である場合においては、第１蓄電装置２から出力させる基本給電量Ｐ１_baseが、要求駆動力DT_dmdによらずに、第２残容量ＳＯＣ２に応じて設定される。そして、特に、低残容量領域における基本給電量Ｐ１_baseは、一定値（＝Ｐ１ｂ）である。このため、第１蓄電装置２の出力Ｐ１は、要求駆動力DT_dmdの変動に応じた変動が生じないものとなる。
【０２１０】
さらに、要求駆動力DT_dmdが閾値DT_th3よりも大きい状況で、第１蓄電装置２の出力Ｐ１を所定の一定値とすることで、該第１蓄電装置２の出力Ｐ１が要求駆動力DT_dmdに応じて変動することがないようにすることができる。
【０２１１】
この結果、低残容量領域における第１蓄電装置２の出力Ｐ１は、頻繁な変動を生じ難い、安定性の高いものとなる。ひいては、第１蓄電装置２の劣化の進行を極力抑制できることとなる。
【０２１２】
以上が、制御モードが、第１〜第３制御モードのうちの基本の制御モードとしての第１制御モードに設定されている場合における通常併用制御処理の詳細である。
【０２１３】
（第２制御モード）
次に、制御モードが、第２制御モードに設定されている場合の通常併用制御処理を説明する。
【０２１４】
図１１は、第２制御モードにおいて、電動モータ１００の要求駆動力DT_dmdに応じて該電動モータ１００に給電すべき電気量（給電量）に対する第１蓄電装置２及び第２蓄電装置３のそれぞれの出力の負担形態と、第２残容量ＳＯＣ２との関係をマップ形態で表した図である。なお、図１１における斜線領域及び点描領域の意味は図５と同様である。また、図１１中の二点鎖線は、第１制御モードとの比較のために、図５に破線で示した閾値DT_th4のラインを示している。
【０２１５】
第１制御モードに係る図５と、第２制御モードに係る図１１とを対比して判るように、第２制御モードは、第１蓄電装置２及び第２蓄電装置３のそれぞれの出力の負担形態を区分する閾値を第１制御モードと異ならせた制御モードである。
【０２１６】
本実施形態における第２制御モードでは、第２残容量ＳＯＣ２が比較的低い状態では、第１制御モードに比して第２蓄電装置３が充電されやすくなり、また、第２残容量ＳＯＣ２が比較的高い状態では、第２蓄電装置３から電動モータ１００に給電を行うこととなる要求駆動力DT_dmdの範囲が第１制御モードに比して拡大される。
【０２１７】
より詳しくは、本実施形態における第２制御モードでは、第２残容量ＳＯＣ２の中残容量領域の上限の閾値B2_th1が、あらかじめ第１制御モードよりも高い値に設定されている。
【０２１８】
また、第２蓄電装置３の低残容量領域及び中残容量領域における第１蓄電装置２の基本給電量Ｐ１_baseが、第１制御モードよりも大きくなるように（換言すれば、基本給電量Ｐ１_baseを、電動モータ１００の回転速度に応じて駆動力値に換算してなる閾値DT_th4（回転速度を一定とした場合の換算値）が、第１制御モードよりも大きくなるように）、第２残容量ＳＯＣ２の検出値に応じて決定される。
【０２１９】
このような基本給電量Ｐ１_baseは、第１制御モードの場合と同様の仕方で決定できる。例えば、第１制御モードの場合と同様に、図９のフローチャートに示す処理と同様の処理により、基本給電量Ｐ1_base（＝α×Ｐ１ｂ）を決定できる。ただし、この場合、基本給電量Ｐ1_baseの最大値Ｐ１ｂは、あらかじめ、第１制御モードよりも大きい値に設定される。第２制御モードにおける基本給電量Ｐ1_baseの最大値Ｐ１ｂとしては、例えば、第１蓄電装置２から出力可能な上限の給電量又はこれに近い給電量を採用し得る。
【０２２０】
なお、第２制御モードにおける基本給電量Ｐ１_baseを、例えば第２残容量ＳＯＣ２の検出値から、あらかじめ作成されたマップあるいは演算式を用いて、直接的に決定することも可能である。
【０２２１】
また、第２制御モードでは、高残容量領域における要求駆動力DT_dmdの閾値DT_th1と、中残容量領域における要求駆動力DT_dmdの閾値DT_th2とがいずれも、第１制御モードよりも大きな値になるように設定されている。
【０２２２】
さらに、図１１に示す例では、低残容量領域における要求駆動力DT_dmdの閾値DT_th3は、これに対応する給電量が、基本給電量Ｐ１_baseに一致するように設定されている。ただし、閾値DT_th3に対応する給電量は、第１蓄電装置２から出力可能な上限の給電量以下であれば、基本給電量Ｐ１_baseよりも大きくてもよい。
【０２２３】
第２制御モードにおける第２残容量ＳＯＣ２及び要求駆動力DT_dmdに関する閾値の設定態様は、以上説明した事項以外は、第１制御モードと同じである。
【０２２４】
そして、第２制御モードにおける通常併用制御処理は、第１制御モードと同様に、前記した図６〜図８のフローチャートに従って実行される。なお、低残容量領域における要求駆動力DT_dmdの閾値DT_th3を、これに対応する給電量が、基本給電量Ｐ１_baseに一致するように設定した場合、図８のＳＴＥＰ２６，２８の処理は省略できる。
【０２２５】
第２制御モードにおける通常併用制御処理は、以上の如く実行される。
【０２２６】
この第２制御モードでは、低残容量領域及び中残容量領域を合わせた残容量領域（低側残容量領域）が、第１制御モードよりも広いと共に、該残容量領域において、第１蓄電装置２から第２蓄電装置３への充電が行われることとなる要求駆動力DT_dmdの範囲が第１制御モードよりも拡大されている。このため、第２残容量ＳＯＣ２は、高残容量領域に近い状態に保たれやすくなる。
【０２２７】
また、中残容量領域及び高残容量領域において、第２蓄電装置３から電動モータ１００に給電を行うこととなる要求駆動力DT_dmdの範囲も、第１制御モードよりも拡大されている。
【０２２８】
この結果、要求駆動力DT_dmdが比較的大きい状態（DT_dmd＞DT_th4となる状態）では、幅広い要求駆動力DT_dmdの範囲で、該要求駆動力DT_dmdの変動に対して高い応答性で、電動モータ１００への給電量を変化させることができる。ひいては、要求駆動力DT_dmdの変化に対する電動モータ１００の実際の駆動力の応答性を高めることができる。
【０２２９】
なお、本実施形態では、第２残容量ＳＯＣ２の中残容量領域の上限の閾値B2_th1と、第１蓄電装置２の基本給電量Ｐ１_baseとの両方を、第１制御モードよりも大きな値に設定したが、閾値B2_th1及び基本給電量Ｐ１_baseのいずれか一方だけを第１制御モードよりも大きな値に設定してもよい。このようにしても第１蓄電装置２から第２蓄電装置３への充電が行われることとなる領域を第１制御モードよりも拡大することができる。
【０２３０】
（第３制御モード）
次に、制御モードが、第３制御モードに設定されている場合の通常併用制御処理を説明する。
【０２３１】
図１２は、第３制御モードにおいて、電動モータ１００の要求駆動力DT_dmdに応じて該電動モータ１００に給電すべき電気量（給電量）に対する第１蓄電装置２及び第２蓄電装置３のそれぞれの出力の負担形態と、第２残容量ＳＯＣ２との関係をマップ形態で表した図である。なお、図１２における斜線領域及び点描領域の意味は図５と同様である。また、図１２中の二点鎖線は、第１制御モードとの比較のために、図５に破線で示した閾値DT_th4のラインを示している。
【０２３２】
第１制御モードに係る図５と、第３制御モードに係る図１２とを対比して判るように、第３制御モードは、第１蓄電装置２及び第２蓄電装置３のそれぞれの出力の負担形態を区分する閾値を第１制御モードと異ならせた制御モードである。
【０２３３】
本実施形態における第３制御モードでは、第２残容量ＳＯＣ２が比較的低い状態でも第２蓄電装置３が第１制御モードに比して充電され難くなり、また、第２残容量ＳＯＣ２が比較的高い状態では、第１蓄電装置２から電動モータ１００に給電を行うこととなる要求駆動力DT_dmdの範囲が第１制御モードに比して拡大される。
【０２３４】
より詳しくは、本実施形態における第３制御モードでは、第２残容量ＳＯＣ２の中残容量領域の上限の閾値B2_th1が、第１制御モードよりも低い値にあらかじめ設定されている。
【０２３５】
また、第２蓄電装置３の低残容量領域及び中残容量領域における第１蓄電装置２の基本給電量Ｐ１_baseが、第１制御モードよりも小さくなるように（換言すれば、基本給電量Ｐ１_baseを、電動モータ１００の回転速度に応じて駆動力値に換算してなる閾値DT_th4（回転速度を一定とした場合の換算値）が、第１制御モードよりも小さくなるように）、第２残容量ＳＯＣ２の検出値に応じて設定される。
【０２３６】
このような基本給電量Ｐ１_baseは、第１制御モードの場合と同様の仕方で決定できる。例えば、第１制御モードの場合と同様に、図９のフローチャートに示す処理と同様の処理により、基本給電量Ｐ1_base（＝α×Ｐ１ｂ）を決定できる。ただし、この場合、基本給電量Ｐ1_baseの最大値Ｐ１ｂは、あらかじめ、第１制御モードよりも小さい値に設定される。
【０２３７】
なお、第３制御モードにおける基本給電量Ｐ１_baseを、例えば第２残容量ＳＯＣ２の検出値から、あらかじめ作成されたマップあるいは演算式を用いて、直接的に設定することも可能である。
【０２３８】
また、第３制御モードでは、高残容量領域における要求駆動力DT_dmdの閾値DT_th1と、中残容量領域における要求駆動力DT_dmdの閾値DT_th2とがいずれも、第１制御モードよりも小さい値になるように設定されている。
【０２３９】
第３制御モードにおける第２残容量ＳＯＣ２及び要求駆動力DT_dmdに関する閾値の設定態様は、以上説明した事項以外は、第１制御モードと同じである。
【０２４０】
そして、第３制御モードにおける通常併用制御処理は、第１制御モードと同様に、前記した図６〜図８のフローチャートに従って実行される。
【０２４１】
第３制御モードにおける通常併用制御処理は、以上の如く実行される。
【０２４２】
この第３制御モードでは、低残容量領域及び中残容量領域を合わせた残容量領域（低側残容量領域）が、第１制御モードよりも狭いと共に、該残容量領域において、第１蓄電装置２から第２蓄電装置３への充電が行われることとなる要求駆動力DT_dmdの範囲が第１制御モードよりも縮小されている。このため、第１蓄電装置２から第２蓄電装置３への充電を行う状態は発生し難くなる。
【０２４３】
このため、当該充電に伴う電力損失を第１制御モード及び第２制御モードに比して低減することができる。その結果、車両の単位走行距離当たりに第１蓄電装置２及び第２蓄電装置３の全体が消費する電気エネルギー量を、第１制御モード及び第２制御モードに比して低減できる。ひいては、車両の航続可能距離を伸ばすことができる。
【０２４４】
なお、本実施形態では、第２残容量ＳＯＣ２の中残容量領域の上限の閾値B2_th1と、第１蓄電装置２の基本給電量Ｐ１_baseとの両方を、第１制御モードよりも小さな値に設定したが、閾値B2_th1及び基本給電量Ｐ１_baseのいずれか一方だけを第１制御モードよりも小さな値に設定してもよい。このようにしても、第１蓄電装置２から第２蓄電装置３への充電を行うこととなる領域を第１制御モードよりも縮小できる。
【０２４５】
これまで述べてきた第１〜３制御モードを整理すると、第１制御モードは、第１蓄電装置２及び第２蓄電装置３を極力劣化させないことを主目的とした、いわゆる「長持ちモード」である。第２制御モードは、電動モータ１００の要求駆動力DT_dmdに対する応答性を高めることを主目的とした、いわゆる「スポーツモード」である。第３制御モードは、車両の電費性能（電気エネルギーの単位消費量当たりの車両の航続距離）を高める点を主目的とした、いわゆる「エコモード」である。
【０２４６】
（停止延長制御処理）
次に、前記ＳＴＥＰ６の停止延長制御処理を詳細に説明する。
【０２４７】
停止延長制御処理では、電力伝送制御部４１は、電動モータ１００の力行運転時に、第１蓄電装置２からできるだけ継続的に電動モータ１００に給電しつつ、要求駆動力DT_dmdに対応する給電量に対する不足分だけを第２蓄電装置３から電動モータ１００に給電するように電力伝送回路部１１を制御する。
【０２４８】
この停止延長制御処理では、電力伝送制御部４１は、図１３のフローチャートに示す処理を所定の制御処理周期で実行する。具体的には、電力伝送制御部４１は、ＳＴＥＰ４１において、第１残容量ＳＯＣ１の検出値に応じて、第１蓄電装置２から出力可能な上限給電量Ｐ１_maxを決定する。
【０２４９】
該上限給電量Ｐ１_maxは、例えば、図１５のグラフで示す形態で、ＳＯＣ１の検出値から、あらかじめ作成されたマップ又は演算式により決定される。該上限給電量Ｐ１_maxは、ＳＯＣ１が小さいほど、小さい値となるように決定される。
【０２５０】
次いで、電力伝送制御部４１は、上記上限給電量Ｐ１_maxが、要求駆動力DT_dmdに対応する給電量よりも大きいか否かをＳＴＥＰ４２で判断する。
【０２５１】
このＳＴＥＰ４２の判断結果が肯定的である場合には、電力伝送制御部４１は、ＳＴＥＰ４３において、第１蓄電装置２の出力Ｐ１が、要求駆動力DT_dmdに対応する給電量に一致するように、電力伝送回路部１１を制御する。
【０２５２】
この場合の電力伝送回路部１１の具体的な制御は、図８のＳＴＥＰ２８と同様に行うことができる。
【０２５３】
一方、ＳＴＥＰ４２の判断結果が否定的である場合には、電力伝送制御部４１は、ＳＴＥＰ４４において、第１蓄電装置２の出力Ｐ１が、上限給電量Ｐ１_maxに一致し、且つ、第２蓄電装置３の出力Ｐ２が、要求駆動力DT_dmdに対応する給電量から第１蓄電装置２の出力Ｐ１（＝Ｐ１_max）を差し引いた不足分の給電量に一致するように、電力伝送回路部１１を制御する。
【０２５４】
この場合の電力伝送回路部１１の具体的な制御は、図６のＳＴＥＰ１４と同様に行うことができる。
【０２５５】
なお、ＳＴＥＰ４４では、第１残容量ＳＯＣ１の検出値が下限値B1_minに達して、上限給電量Ｐ１_max＝０となっている状態では、第２蓄電装置３だけから要求駆動力DT_dmdに対応する給電量が電動モータ１００に給電されることとなる。この状況では、電力伝送回路部１１の電圧変換器１５は、通電遮断状態に制御され、あるいは、第１蓄電装置２側のコンタクタ１２がオフ状態に制御される。
【０２５６】
停止延長制御処理は、以上の如く実行される。かかる停止延長制御処理では、大きな給電量を出力し難い第１蓄電装置２を優先的に使用して、電動モータ１００への給電が行われる。そして、第１蓄電装置２が出力可能な上限給電量Ｐ１_maxが要求駆動力DT_dmdに対応する給電量に満たない場合でも、第１蓄電装置２及び第２蓄電装置３の両方から電動モータ１００に給電することで、第１蓄電装置２を下限値B1_minの残容量まで放電させることができる。
【０２５７】
そして、その後は、大きな給電量を出力し易い第２蓄電装置３から電動モータ１００への給電を行うことで、第２蓄電装置３を下限値B2_minの残容量もしくはこれに近い残容量まで放電させることができる。
【０２５８】
ここで、以上説明した通常併用制御処理及び停止延長制御処理によって、第１残容量ＳＯＣ１及び第２残容量ＳＯＣ２がどのような形態で変化していくかの一例を図１４〜図１６を参照して説明する。
【０２５９】
なお、この例では、通常併用制御処理における制御モードは、例えば、第１制御モードであるとする。
【０２６０】
図１４に示すグラフＳは、通常併用制御処理を実行しながら、車両の走行が行われている状況で、第１残容量ＳＯＣ１及び第２残容量ＳＯＣ２の組がどのようなパターンで変化していくかを例示するものである。
【０２６１】
このグラフＳに見られるように、第２残容量ＳＯＣ２は、第１蓄電装置２から第２蓄電装置３への充電が適宜行われることで、例えば閾値B2_th1の近辺の値に保たれるように増減する一方、第１残容量ＳＯＣ１は減少していく。
【０２６２】
また、図１４中の太線矢印ａ１〜ａ４は、例えば、第１残容量ＳＯＣ１及び第２残容量ＳＯＣ２の組が点Ｑの状態となっている時点（時刻ｔ０）から、車両のクルーズ走行を開始した場合における第１残容量ＳＯＣ１及び第２残容量ＳＯＣ２の組の変化の仕方を示している。クルーズ走行は、電動モータ１００の要求駆動力DT_dmdと回転速度とがほぼ一定に維持される状態での車両の走行である。
【０２６３】
そして、図１５中の点ｂ１及び太線矢印ｂ２〜ｂ４は、上記時刻ｔ０からの第１残容量ＳＯＣ１の変化を示し、図１６中の太線矢印ｃ１，ｃ２、点ｃ３、及び太線矢印ｃ４は、上記時刻ｔ０からの第２残容量ＳＯＣ２の変化を示している。
【０２６４】
ａ１，ｂ１，ｃ１は、時刻ｔ０からｔ１までの期間、ａ２，ｂ２，ｃ２は、時刻ｔ１からｔ２までの期間，ａ３，ｂ３，ｃ３は、時刻ｔ２からｔ３までの期間、ａ４，ｂ４，ｃ４は、時刻ｔ３以後の期間のものである。なお、時刻ｔ３は、第１残容量ＳＯＣ１が閾値B1_th1に達することで、停止延長制御処理が開始される時刻である。また、クルーズ走行における電動モータ１００の要求駆動力DT_dmdは、例えば、図１６のｃ１，ｃ２，ｃ３，ｃ４の高さ位置の値である。
【０２６５】
時刻ｔ０〜ｔ１の期間では、第１制御モードでの通常併用制御処理によって、第１蓄電装置２から電動モータ１００への給電又は第２蓄電装置３への充電は行われず、第２蓄電装置３だけから電動モータ１００への給電が行われる（図１６を参照）。このため、図１４の矢印ａ１及び図１５の点ｂ１で例示するように、第１残容量ＳＯＣ１は一定に維持される。また、図１４の矢印ａ１及び図１６の矢印ｃ１で例示するように、第２残容量ＳＯＣ２は減少していく。
【０２６６】
時刻ｔ１で第２残容量ＳＯＣ２が閾値B2_th1に到達すると、次に、時刻ｔ１〜ｔ２の期間では、第１制御モードでの通常併用制御処理によって、第１蓄電装置２及び第２蓄電装置３の両方から電動モータ１００に給電される（図１６を参照）。このため、図１４の矢印ａ２及び図１５の矢印ｂ２で例示するように、第１残容量ＳＯＣ１が減少していくと共に、図１４の矢印ａ２及び図１６の矢印ｃ２で例示するように、第２残容量ＳＯＣ２が減少していく。
【０２６７】
時刻ｔ２において、第２残容量ＳＯＣ２が図１６の点ｃ３に対応する値に達すると、第１制御モードでの通常併用制御処理によって、第１蓄電装置２だけから電動モータ１００に給電されるようになる。このため、時刻ｔ２〜ｔ３の期間では、図１４の矢印ａ３及び図１６の点ｃ３で例示するように、第２残容量ＳＯＣ２は一定に維持される。そして、図１４の矢印ａ３及び図１５の矢印ｂ３で例示するように、第１残容量ＳＯＣ１が減少していく。
【０２６８】
時刻ｔ３において、第１残容量ＳＯＣ１が閾値B1_th1まで減少すると、停止延長制御処理が開始される。このため、時刻ｔ３以後は、図１４の矢印ａ４及び図１５の矢印ｂ４で例示するように、第１蓄電装置２が前記上限給電量Ｐ１_maxを出力しつつ、第１残容量ＳＯＣ１が下限値B1_minまで減少していく。また、図１４の矢印ａ４及び図１６の矢印ｃ４で例示するように、第２残容量ＳＯＣ２が下限値B2_minまで減少していく。
【０２６９】
図１７は、停止延長制御処理での第１残容量ＳＯＣ１及び第２残容量ＳＯＣ２の経時変化の一例を示している。図示例は、停止延長制御処理の開始後、電動モータ１００への出力（給電量）がある一定値に維持される状況（すなわち、車両のクルーズ走行状態）での、第１残容量ＳＯＣ１及び第２残容量ＳＯＣ２の経時変化の一例を示している。
【０２７０】
図示の如く、第１蓄電装置２及び第２蓄電装置３の両方から電動モータ１００への給電を行うことで、電動モータ１００への一定値の給電量を確保しつつ、第１蓄電装置２及び第２蓄電装置３のそれぞれの残容量ＳＯＣ１，ＳＯＣ２をそれぞれの下限値B1_min，B2_minまで消費することが可能となる。
【０２７１】
このように第１蓄電装置２及び第２蓄電装置３の双方によって電動モータ１００への給電可能期間の延長を図ることで、一方の蓄電装置（例えば、第１蓄電装置２）のみで給電可能期間の延長を図る場合よりも、第１蓄電装置２及び第２蓄電装置３の双方の電力を十分に使いきれるため、より一層、電動モータ１００への給電可能期間、ひいては、車両の航続可能距離を延長できる。
【０２７２】
以上のように、特に第１制御モードでの通常併用制御処理では、第２残容量ＳＯＣ２を中残容量領域又はその近辺の値に保持するようにしつつ、第１残容量ＳＯＣ１を減少させていくようにすることができる。
【０２７３】
また、停止延長制御処理では、電動モータ１００への給電による第１蓄電装置２及び第２蓄電装置３の放電を、それぞれの下限値B1_min，B2_minまで、もしくはこれに近い残容量値まで十分に行うことができる。
【０２７４】
なお、以上説明した通常併用制御処理及び停止延長制御処理は、第１蓄電装置２及び第２蓄電装置３の両方が正常（故障無の状態）である場合に実行される処理である。
【０２７５】
第１蓄電装置２が正常であり、且つ第２蓄電装置３が故障有りの状態である場合における電動モータ１００の力行運転時には、電力伝送制御部４１は、第２蓄電装置３側のコンタクタ１３をオフにした状態で、電動モータ１００の要求駆動力DT_dmdに対応する給電量を第１蓄電装置２だけから電動モータ１００に給電するように、電力伝送回路部１１の電圧変換器１５及びインバータ１７を制御する。この場合の電力伝送回路部１１の制御処理は、前記ＳＴＥＰ２８と同様に実行される。
【０２７６】
（制動時の制御処理）
次に、電動モータ１００の制動を行う状況（車両の減速時）における電力伝送制御部４１の制御処理を説明する。
【０２７７】
本実施形態では、電力伝送制御部４１は、電動モータ１００の制動時に、図１８のフローチャートに示す処理を所定の制御処理周期で実行する。なお、この処理は、詳しくは、第１蓄電装置２の正常時における処理である。
【０２７８】
この処理では、電力伝送制御部４１は、まず、第２蓄電装置３の故障検知情報（故障の有無の検知情報）と、第１蓄電装置２の残容量ＳＯＣ１の検出値とに応じて、電動モータ１００の制動のための制御処理の態様を規定する制動処理モードを設定する。
【０２７９】
具体的には、電力伝送制御部４１は、ＳＴＥＰ５１において、第２蓄電装置３の故障検知情報を故障検知部４３から取得すると共に、第１蓄電装置２の残容量ＳＯＣ１（第１残容量ＳＯＣ１）の検出値を残容量検出部４２から取得する。
【０２８０】
次いで、ＳＴＥＰ５２において、電力伝送制御部４１は、故障検知情報が、第２蓄電装置３の故障無しの状態（正常状態）を示す情報であるか否かを判断する。
【０２８１】
この判断結果が肯定的である場合（第２蓄電装置３が正常である場合）には、電力伝送制御部４１は、ＳＴＥＰ５３において、制動処理モードを第１制動モードに設定する。詳細は後述するが、該第１制動モードは電動モータ１００の要求制動力を、該電動モータ１００の回生運転により発生する回生制動力により実現しつつ、該電動モータ１００が出力する回生電力を、図１９Ａに示す如きマップに基づいて第１蓄電装置２及び第２蓄電装置３の一方又は両方に（主に、第２蓄電装置３に）充電するモードである。
【０２８２】
また、ＳＴＥＰ５２の判断結果が否定的である場合（第２蓄電装置３の故障が検知されている場合）には、電力伝送制御部４１は、ＳＴＥＰ５５において、第２蓄電装置３側のコンタクタ１３をオフ（遮断状態）にする。これにより、第２蓄電装置３の充放電が禁止される。
【０２８３】
さらに電力伝送制御部４１は、ＳＴＥＰ５６において、第１残容量ＳＯＣ１の検出値が所定の残容量閾値B1_th2以上であるか否かを判断する。
【０２８４】
このＳＴＥＰ５６の判断結果が肯定的となる状況は、第１蓄電装置２に回生電力を充電せずとも、しばらくの間、車両の走行（電動モータ１００の力行運転）を継続し得る程度に、第１残容量ＳＯＣ１が比較的大きい状況である。換言すれば、第１蓄電装置２が満充電であるか、又は満充電に近いため、充電による劣化抑制などの観点から、第１蓄電装置２に対する充電が不要な状況である。
【０２８５】
この状況では、電力伝送制御部４１は、ＳＴＥＰ５７において、制動処理モードを第２制動モードに設定する。詳細は後述するが、該第２制動モードは、電動モータ１００の要求制動力を、電動モータ１００の回生運転を行うことなく、制動装置６による制動力だけで実現するモードである。
【０２８６】
また、ＳＴＥＰ５６の判断結果が否定的となる状況は、第１残容量ＳＯＣ１が比較的小さいものとなっており、車両の走行（電動モータ１００の力行運転）を継続すると、比較的早期に第１残容量ＳＯＣ１が不足して、車両の走行（電動モータ１００の力行運転）を継続することが困難となる可能性が高い状況である。
【０２８７】
この状況では、電力伝送制御部４１は、ＳＴＥＰ５８において、制動処理モードを第３制動モードに設定する。詳細は後述するが、該第３制動モードは、電動モータ１００の要求制動力を、回生制動力によって、又は該回生制動力と制動装置６による制動力（非回生制動力）との両方によって実現しつつ、該電動モータ１００が出力する比較的少量の回生電力を第１蓄電装置２に充電するモードである。
【０２８８】
電力伝送制御部４１は、以上の如く制動処理モードを設定した後、ＳＴＥＰ５４において、設定した制動処理モードに応じて、電動モータ１００に制動力を作用させるための制動処理を実行する。
【０２８９】
次に、第１制動モード、第２制動モード及び第３制動モードのそれぞれにおける制動処理を具体的に説明する。
【０２９０】
（第１制動モードでの制動処理）
第１制動モードでの制動処理では、電力伝送制御部４１は、図２０のフローチャートに示す処理を実行する。
【０２９１】
具体的には、電力伝送制御部４１は、ＳＴＥＰ５４−１において、第２蓄電装置３の残容量ＳＯＣ２（第２残容量ＳＯＣ２）の検出値と、電動モータ１００の要求回生量Ｇ_dmdとを取得する。該要求回生量Ｇ_dmdは、本実施形態では、電動モータ１００の要求制動力を、電動モータ１００の回生運転時の回生制動力だけで実現すると仮定した場合における電動モータ１００の発電電力（単位時間当たりの発電エネルギー量）の要求値である。
【０２９２】
かかる要求回生量Ｇ_dmdは、例えば、電動モータ１００の要求制動力と、電動モータ１００の回転速度の検出値とから、あらかじめ作成されたマップ又は演算式により求められる。
【０２９３】
次いで、ＳＴＥＰ５４−２において、電力伝送制御部４１は、ＳＯＣ２の検出値と、電動モータ１００の要求回生量Ｇ_dmdとから、あらかじめ作成されたマップに基づいて、第１蓄電装置２及び第２蓄電装置３のそれぞれの目標入力Ｐc1，Ｐc2（目標充電量）を決定する。該目標入力Ｐc1，Ｐc2は、それらの総和が要求回生量Ｇ_dmdに一致する（ひいては、電動モータ１００の回生制動力が要求制動力に一致する）ように決定される。
【０２９４】
図１９Ａは当該マップを視覚的に表している。このマップにおいて、要求回生量Ｇ_dmdが所定の閾値Ｇ_th1以下となる点描領域は、第２蓄電装置３だけに回生電力の充電を行う領域（Ｐc1＝０とする領域）を表し、要求回生量Ｇ_dmdが閾値Ｇ_th1よりも大きなものとなる斜線領域は、第１蓄電装置２及び第２蓄電装置３の両方に回生電力の充電を行う領域を表している。
【０２９５】
上記閾値Ｇ_th1は、第２残容量ＳＯＣ２の検出値に応じて設定された閾値である。図示例では、閾値Ｇ_th1は、第２残容量ＳＯＣ２が所定値ＳＯＣ２a以下となる領域では、あらかじめ定められた一定値（固定値）であり、所定値ＳＯＣ２aよりも大きい領域では、第２残容量ＳＯＣ２の増加に伴い小さくなるように設定されている。所定値ＳＯＣ２a以下の領域における閾値Ｇ_th1は、要求回生量Ｇ_dmdの最大値Ｇ_maxに近い値に設定されている。
【０２９６】
上記ＳＴＥＰ５４−２では、ＳＯＣ２の検出値と、要求回生量Ｇ_dmdとの組が、点描領域に属する場合には、第１蓄電装置２の目標入力Ｐc1がゼロに設定されると共に、第２蓄電装置３の目標入力Ｐc2として要求回生量Ｇ_dmdが設定される。従って、要求回生量Ｇ_dmdが閾値Ｇ_th1よりも小さい場合には、第２蓄電装置３だけに回生電力を充電するように目標入力Ｐc1，Ｐc2が設定される。
【０２９７】
また、ＳＯＣ２の検出値と、要求回生量Ｇ_dmdとの組が、斜線領域に属する場合には、第２蓄電装置３の目標入力Ｐc2として、閾値Ｇ_th1に一致する回生量が設定されると共に、要求回生量Ｇ_dmdから第２蓄電装置３の目標入力Ｐc2を差し引いた残余の回生量が第１蓄電装置２の目標入力Ｐc1として設定される。
【０２９８】
従って、要求回生量Ｇ_dmdが、閾値Ｇ_th1よりも大きく、且つ、第２残容量ＳＯＣ２の検出値が所定値ＳＯＣ２aよりも大きい場合には、要求回生量Ｇ_dmdのうちの第２蓄電装置３の目標入力Ｐc2の割合が、ＳＯＣ２の検出値が大きいほど、小さくなるように（換言すれば、要求回生量Ｇ_dmdのうちの第１蓄電装置２の目標入力Ｐc1の割合が、ＳＯＣ２の検出値が大きいほど、大きくなるように）、目標入力Ｐc1，Ｐc2が設定される。
【０２９９】
次いで、ＳＴＥＰ５４−３において、電力伝送制御部４１は、要求回生量Ｇ_dmdが、上記閾値Ｇ_th1よりも大きいか否かを判断する。
【０３００】
このＳＴＥＰ５３の判断結果が肯定的となる状況は、図１９Ａの斜線領域の状況である。この状況では、電力伝送制御部４１は、ＳＴＥＰ５４−４において、第１蓄電装置２及び第２蓄電装置３をそれぞれ目標入力Ｐc1，Ｐc2で充電するように、電力伝送回路部１１を制御する。
【０３０１】
上記ＳＴＥＰ５４−４の処理は、具体的には、例えば次のように実行することができる。すなわち、電動モータ１００の回転速度の検出値等に応じて、インバータ１７の出力電圧（＝電圧変換器１５，１６の入力電圧）の目標値が設定される。さらに、目標入力Ｐc1が電圧変換器１５から第１蓄電装置２への出力電力の目標値として設定されると共に、目標入力Ｐc2が電圧変換器１６から第２蓄電装置３への出力電力の目標値として設定される。
【０３０２】
そして、インバータ１７の出力電圧の目標値を実現するようにインバータ１７が制御される。同時に、電圧変換器１５，１６のそれぞれから第１蓄電装置２及び第２蓄電装置３のそれぞれへの出力電力の目標値を実現するように電圧変換器１５，１６が制御される。
【０３０３】
一方、前記ＳＴＥＰ５４−３の判断結果が否定的となる状況は、図１９Ａの点描領域の状況である。この状況では、電力伝送制御部４１は、ＳＴＥＰ５４−５において、第２蓄電装置３だけを目標入力Ｐc2で充電するように、電力伝送回路部１１を制御する。
【０３０４】
上記ＳＴＥＰ５４−５の処理は、具体的には、例えば次のように実行することができる。すなわち、電動モータ１００の回転速度の検出値等に応じて、インバータ１７の出力電圧（＝電圧変換器１６の入力電圧）の目標値が設定される。さらに、目標入力Ｐc2が電圧変換器１６から第２蓄電装置３への出力電力の目標値として設定される。
【０３０５】
そして、インバータ１７の出力電圧の目標値を実現するようにインバータ１７が制御される。同時に、電圧変換器１６から第２蓄電装置３への出力電力の目標値を実現するように電圧変換器１６が制御される。
【０３０６】
さらに、電圧変換器１５は通電遮断状態に制御される。あるいは、第１蓄電装置２側のコンタクタ１２がオフ状態に制御される。これにより、第１蓄電装置２から第２蓄電装置３への放電と、インバータ１７側から第１蓄電装置２への充電とが禁止される。
【０３０７】
以上の如く、第１制動モードでの制動処理が電力伝送制御部４１により実行される。
【０３０８】
上記の如く第１制動モードでの制動処理を実行することで、電動モータ１００の要求制動力を、電動モータ１００の回生制動力により実現するように電動モータ１００の回生運転が行われる。
【０３０９】
このとき、電動モータ１００が出力する回生電力は、基本的には第２蓄電装置３に充電される。そして、第２蓄電装置３に充電し切れない回生電力（閾値G_th1を超える回生量）だけが第１蓄電装置２に充電される。
【０３１０】
これにより、第１蓄電装置２による第２蓄電装置３の充電を行うことが必要となる状況の発生が極力少なくなるようにしつつ、第２残容量ＳＯＣ２を、中残容量領域又はその近辺の残容量値に維持するようにすることができる。ひいては、システム全体のエネルギー利用効率が上昇する。
【０３１１】
また、第１蓄電装置２は、一般に高レートでの充電（単位時間当たりの充電量が大きい高速充電）に対する劣化耐性が低いものの、第１蓄電装置２に対する回生量を極力削減することで、第１蓄電装置２の劣化を極力抑制できる。
【０３１２】
（第２制動モードでの制動処理）
次に、第２制動モードでの制動処理では、電力伝送制御部４１は、図２１のフローチャートに示す処理を実行する。
【０３１３】
具体的には、電力伝送制御部４１は、ＳＴＥＰ５４−１１において、電動モータ１００の要求回生量Ｇ_dmdを取得する。
【０３１４】
そして、電力伝送制御部４１は、ＳＴＥＰ５４−１２において、制動装置６の目標制動力Ｂr_cmdを設定する。この場合、目標制動力Ｂr_cmdとして、要求回生量Ｇ_dmdに対応する制動力、すなわち、電動モータ１００の要求制動力が設定される。
【０３１５】
次いで、ＳＴＥＰ５４−１３において、電力伝送制御部４１は、目標制動力Ｂr_cmdを制動装置制御部４４に指令する。このとき、該制動装置制御部４４は、目標制動力Ｂr_cmdを電動モータ１００に付与するように制動装置６を制御する。
【０３１６】
以上の如く、第２制動モードでの制動処理が電力伝送制御部４１により実行される。
【０３１７】
なお、第２制動モードでは、電動モータ１００の回生運転を行わないので、電力伝送制御部４１は、電圧変換器１５，１６の両方を通電遮断状態に維持し、あるいは、コンタクタ１２，１３の両方をオフ状態に維持する。
【０３１８】
上記の如く第１残容量ＳＯＣ１が所定の残容量閾値B1_th2以上となっている状態での第２蓄電装置３の故障時に、第２制動モードでの制動処理を実行することで、図１９Ｂに示す如く、要求回生量Ｇ_dmdに対応する制動力（＝電動モータ１００の要求制動力）を、制動装置６の制動力だけにより実現するように、制動装置６が制御される。従って、要求制動力のうちの回生制動力の負担分はゼロとされる。
【０３１９】
なお、図１９Ｂでは、図１９Ａと整合させるために、横軸を第２残容量ＳＯＣ２の値としているが、第２制動モードでは、第２蓄電装置３が故障しているので、第２残容量ＳＯＣ２の値は不要である。
【０３２０】
かかる第２制動モードでは、電動モータ１００の回生運転による第１蓄電装置２への充電は行われないため、第１蓄電装置２の充電に起因する劣化の進行を防止することができる。
【０３２１】
また、電動モータ１００の制動時に、第２制動モードでの制動処理が実行される状況では、第１蓄電装置２の残容量ＳＯＣ１が比較的大きいので、電動モータ１００の力行運転時には、第１蓄電装置２から要求駆動力DT_dmdに対応する給電量を、電動モータ１００に給電することを継続できる。
【０３２２】
（第３制動モードでの制動処理）
次に、第３制動モードでの制動処理では、電力伝送制御部４１は、図２２のフローチャートに示す処理を実行する。
【０３２３】
具体的には、電力伝送制御部４１は、ＳＴＥＰ５４−２１において、電動モータ１００の要求回生量Ｇ_dmdを取得する。
【０３２４】
次いで、電力伝送制御部４１は、ＳＴＥＰ５４−２２において、電動モータ１００の要求回生量Ｇ_dmdが所定の閾値Ｇ_th3以下であるか否かを判断する。
【０３２５】
上記閾値Ｇ_th3は、第１蓄電装置２の充電による劣化を極力防止する上で望ましい充電量（単位時間当たりの充電量）の上限値に一致するように設定された閾値である。
【０３２６】
ここで、図２３は、第１蓄電装置２の充電時の充電速度（単位時間当たりの充電量）を表す充電レート（単位は、例えば［Ｃ］）と、第１蓄電装置２の容量の劣化度合いを表す容量劣化係数との関係を例示するグラフである。なお、容量劣化係数は、所謂、ルート則により算出された値である。また、１［Ｃ］の充電レートでの充電は、放電済の蓄電装置の充電を１［ｈ］で完了し得る電流量での定電流充電を意味する。例えば、蓄電装置の公称容量が、Ｘ［Ａｈ］であるとした場合、１［Ｃ］の充電レートでの充電は、Ｘ［Ａ］での定電流充電を意味する。
【０３２７】
図２３に示されるように、充電レートが所定値Ｃrxよりも大きなものとなる高レートでの第１蓄電装置２の充電を行うと、充電レートが所定値Ｃrxよりも小さなものとなる低レートでの第１蓄電装置２の充電を行った場合に比して、充電レートの増加に対する容量劣化係数の増加（第１蓄電装置２の劣化度合いの増加）が急激に大きくなる。
【０３２８】
そこで、本実施形態では、所定値Ｃrx以下の充電レートを、第１蓄電装置２の充電速度の許容範囲としている。そして、ＳＴＥＰ５４−２２の判断処理における上記閾値Ｇ_th3は、該閾値Ｇ_th3以下の回生量であれば、所定値Ｃrx以下の充電レート（許容範囲の充電レート）で第１蓄電装置２への充電を行い得るように設定されている。
【０３２９】
ＳＴＥＰ５４−２２の判断結果が肯定的となる状況は、要求回生量Ｇ_dmdの回生電力を、充電レートの許容範囲で第１蓄電装置２に充電し得る状況である。この場合には、電力伝送制御部４１は、ＳＴＥＰ５４−２３において、第１蓄電装置２の目標入力Ｐc1として、要求回生量Ｇ_dmdを設定する。
【０３３０】
そして、電力伝送制御部４１は、ＳＴＥＰ５４−２４において、第１蓄電装置２を目標入力Ｐc1で充電するように、電力伝送回路部１１を制御する。
【０３３１】
上記ＳＴＥＰ５４−２４の処理は、具体的には、例えば次のように実行することができる。すなわち、電動モータ１００の回転速度の検出値等に応じて、インバータ１７の出力電圧（＝電圧変換器１５の入力電圧）の目標値が設定される。さらに、目標入力Ｐc1が電圧変換器１５から第１蓄電装置２への出力電力の目標値として設定される。
【０３３２】
そして、インバータ１７の出力電圧の目標値を実現するようにインバータ１７が制御される。同時に、電圧変換器１５から第１蓄電装置２への出力電力の目標値を実現するように電圧変換器１５が制御される。この場合、第２蓄電装置３側のコンタクタ１３がオフ状態とされている。
【０３３３】
ＳＴＥＰ５４−２２の判断結果が否定的となる状況は、要求回生量Ｇ_dmdの回生電力をそのまま第１蓄電装置２に充電しようとすると、充電レートの許容範囲で第１蓄電装置２に充電することができない状況である。この場合には、電力伝送制御部４１は、ＳＴＥＰ５４−２５において、第１蓄電装置２の目標入力Ｐc1として、前記閾値Ｇ_th3を設定すると共に、制動装置６の目標制動力Ｂr_cmdとして、要求回生量Ｇ_dmdから閾値Ｇ_th3（＝Ｐc1）を差し引いた残余の回生量に対応する制動力を設定する。
【０３３４】
この制動力（＝Ｂr_cmd）は、当該残余の回生量で電動モータ１００の回生運転を行ったと仮定した場合に、該電動モータ１００で発生する回生制動力に一致する制動力である。かかる制動力は、当該残余の回生量（＝Ｇ_dmd−Ｇ_th3）と電動モータ１００の回転速度の検出値とから、あらかじめ作成されたマップ又は演算式により求めることができる。
【０３３５】
従って、ＳＴＥＰ５４−２５では、閾値Ｇ_th3の回生量で電動モータ１００の回生運転を行った場合に発生する回生制動力と、目標制動力Ｂr_cmdとの総和の制動力が、要求回生量Ｇ_dmdで電動モータ１００の回生運転を行ったと仮定した場合に発生する回生制動力に一致するように目標制動力Ｂr_dmdが設定される。
【０３３６】
次いで、電力伝送制御部４１は、ＳＴＥＰ５４−２６において、第１蓄電装置２を目標入力Ｐc1で充電するように、電力伝送回路部１１を制御すると共に、目標制動力Ｂr_cmdを制動装置制御部４４に指令する。このとき、該制動装置制御部４４は、目標制動力Ｂr_cmdを電動モータ１００に付与するように制動装置６を制御する。なお、ＳＴＥＰ５４−２６における電力伝送回路部１１の制御は、ＳＴＥＰ５４−２４と同様に行われる。
【０３３７】
以上の如く、第３制動モードでの制動処理が電力伝送制御部４１により実行される。
【０３３８】
上記の如く第３制動モードでの制動処理を実行することで、図１９Ｃに示す如く、要求回生量Ｇ_dmdが閾値Ｇ_th3以下である場合には、該要求回生量Ｇ_dmdに対応する制動力（＝電動モータ１００の要求制動力）を、電動モータ１００から第１蓄電装置２への充電を要求回生量Ｇ_dmdに一致する回生電力で行うことにより該電動モータ１００が発生する回生制動力だけによって実現するように、電力伝送回路部１１が制御される。この状況では、制動装置６のよる制動力の発生は行われない。
【０３３９】
また、要求回生量Ｇ_dmdが閾値Ｇ_th3よりも大きい場合には、該要求回生量Ｇ_dmdに対応する制動力（＝電動モータ１００の要求制動力）を、電動モータ１００から第１蓄電装置２への充電を閾値Ｇ_thに一致する回生電力で行うことにより該電動モータ１００が発生する回生制動力と、制動装置６の制動力との両方によって実現するように、電力伝送回路部１１と制動装置６とが制御される。
【０３４０】
なお、図１９Ｃでは、図１９Ａと整合させるために、横軸を第２残容量ＳＯＣ２の値としているが、第３制動モードでは、第２蓄電装置３が故障しているので、第２残容量ＳＯＣ２の値は不要である。
【０３４１】
かかる第３制動モードでは、電動モータ１００の回生運転による第１蓄電装置２への充電量（単位時間当たりの充電量）が、許容範囲の充電レートで第１蓄電装置２への充電を行い得るように設定された閾値Ｇ_th3以下の充電量に制限される。
【０３４２】
このため、第１蓄電装置２の劣化の進行を十分に抑制し得る範囲で、該第１蓄電装置２への回生電力の充電が行われる。その結果、第２蓄電装置３が故障した状態での車両の走行中に、第１蓄電装置２の劣化の進行を極力抑制しつつ、該第１蓄電装置２から電動モータ１００に給電を行い得る期間を極力延長させることができる。
【０３４３】
図２４は、第２蓄電装置３の故障が発生する前後における第１蓄電装置２の残容量ＳＯＣ１の経時変化と、第２蓄電装置３の故障が発生する前の該第２蓄電装置３の残容量ＳＯＣ２の経時変化とを例示的に示すグラフである。
【０３４４】
図２４では、時刻ｔ1にて第２蓄電装置３の故障が発生し、時刻ｔ2にて、第１残容量ＳＯＣ１が前記残容量閾値B1_th2まで低下している。従って、時刻ｔ1以前の期間は、電動モータ１００の制動時に第１制動モードでの制動処理が実行される期間、時刻ｔ1からｔ2までの期間は、電動モータ１００の制動時に第２制動モードでの制動処理が実行される期間、時刻ｔ2以後の期間は、電動モータ１００の制動時に第３制動モードでの制動処理が実行される期間である。
【０３４５】
この場合、時刻ｔ2以後において、Δｔ1の期間、及びΔｔ2の期間が、電動モータ１００の制動時に、回生電力が第１蓄電装置２に充電される期間である。このように、電動モータ１００の制動時に、第１蓄電装置２に回生電力が充電されることによって、第１残容量ＳＯＣ１がある程度回復する。このため、時刻ｔ2以後に、電動モータ１００に給電し得る期間を極力延長することができる。
【０３４６】
ここで、以上説明した第１実施形態と本発明との対応関係について補足しておく。
【０３４７】
本実施形態では、前記第１制動モードでの制動処理が、本発明における第１制動処理に関連する参考例の処理に相当し、前記第２制動モードでの制動処理と第３制動モードでの制動処理とを合わせた制動処理が、本発明における第２制動処理に相当する。
【０３４８】
また、電動モータ１００（電気負荷）の制動時の要求回生量Ｇ_dmdは、本発明における回生量指標値に相当する。
【０３４９】
また、図２３に示した充電レートの所定値Ｃrxが、本発明における充電速度に関する速度閾値に相当する。
【０３５０】
［第２実施形態］
次に、本発明の第２実施形態を図２５及び図２６を参照して説明する。なお、本実施形態は、電動モータ１００の制動時における第１制動モードでの制動処理だけが第１実施形態と相違するものである。このため、第１実施形態と同一事項については説明を省略する。
【０３５１】
本実施形態では、電動モータ１００の制動時における第１制動モードでの制動処理は、所定の制御処理周期で、図２５のフローチャートに示す如く実行される。
【０３５２】
具体的には、電力伝送制御部４１は、ＳＴＥＰ６１において、第２残容量ＳＯＣ２の検出値と、電動モータ１００の要求回生量Ｇ_dmdとを取得する。このＳＴＥＰ６１の処理は、第１実施形態のＳＴＥＰ５４−１の処理と同じである。
【０３５３】
次いで、ＳＴＥＰ６２において、電力伝送制御部４１は、ＳＯＣ２の検出値と、電動モータ１００の要求回生量Ｇ_dmdとからあらかじめ作成されたマップに基づいて、第１蓄電装置２及び第２蓄電装置３のそれぞれの目標入力Ｐc1，Ｐc2（目標充電量）を決定する。
【０３５４】
図２６は本実施形態における当該マップを視覚的に表している。このマップにおいて、要求回生量Ｇ_dmdが所定の閾値Ｇ_th2以下となる斜線領域は、第１蓄電装置２だけに充電を行う領域（Ｐc2＝０とする領域）を表し、要求回生量Ｇ_dmdが閾値Ｇ_th2よりも大きく、且つ、所定の閾値Ｇ_th1以下となる点描領域と、要求回生量Ｇ_dmdが閾値Ｇ_th1よりも大きなものとなる斜線領域とは、第１蓄電装置２及び第２蓄電装置３の両方に充電を行う領域を表している。
【０３５５】
上記閾値Ｇ_th1，Ｇ_th2のうち、閾値Ｇ_th1は第１実施形態と同様に、ＳＯＣ２の検出値に応じて設定される閾値である。
【０３５６】
また、閾値Ｇ_th2は、本実施形態では、あらかじめ定められた所定の一定値である。該閾値Ｇ_th2は、比較的小さい値（ゼロに近い値）である。この閾値Ｇ_th2としては、例えば前記第１実施形態の第３制動モードでの制動処理で使用する閾値Ｇ_th3を用いることができる。
【０３５７】
上記ＳＴＥＰ６２では、ＳＯＣ２の検出値と、要求回生量Ｇ_dmdとの組が、最下段の斜線領域に属する場合には、第２蓄電装置３の目標入力Ｐc2がゼロに設定されると共に、第１蓄電装置２の目標入力Ｐc1として要求回生量Ｇ_dmdが設定される。
【０３５８】
従って、回生電力を第１蓄電装置２だけに充電するように、目標入力Ｐc1，Ｐc2が設定される。
【０３５９】
また、ＳＯＣ２の検出値と、要求回生量Ｇ_dmdとの組が、点描領域に属する場合には、第１蓄電装置２の目標入力Ｐc1として、閾値Ｇ_th2に一致する回生量が設定されると共に、要求回生量Ｇ_dmdから第１蓄電装置２の目標入力Ｐc1を差し引いた残余の回生量が第２蓄電装置３の目標入力Ｐc2として設定される。
【０３６０】
また、ＳＯＣ２の検出値と、要求回生量Ｇ_dmdとの組が、最上段の斜線領域に属する場合には、第２蓄電装置３の目標入力Ｐc2として、閾値Ｇ_th1に一致する給電量が設定されると共に、要求回生量Ｇ_dmdから第２蓄電装置３の目標入力Ｐc2を差し引いた残余の回生量が第１蓄電装置２の目標入力Ｐc1として設定される。
【０３６１】
次いで、ＳＴＥＰ６３において、電力伝送制御部４１は、要求回生量Ｇ_dmdが、上記閾値Ｇ_th2以下であるか否かを判断する。
【０３６２】
このＳＴＥＰ６３の判断結果が肯定的となる状況は、図２６の最下段の斜線領域の状況である。この状況では、電力伝送制御部４１は、ＳＴＥＰ６４において、第１蓄電装置２だけを目標入力Ｐc1で充電するように、電力伝送回路部１１を制御する。
【０３６３】
上記ＳＴＥＰ６４の処理は、第１実施形態における第３制動モードでのＳＴＥＰ５４−２４の処理と同様に実行することができる。
【０３６４】
一方、ＳＴＥＰ６３の判断結果が否定的となる状況は、図２６の点描領域又は最上段の斜線領域の状況である。この状況では、電力伝送制御部４１は、ＳＴＥＰ６５において、第１蓄電装置２及び第２蓄電装置３をそれぞれ目標入力Ｐc1，Ｐc2で充電するように、電力伝送回路部１１を制御する。
【０３６５】
この場合の電力伝送回路部１１の具体的な制御処理は、第１実施形態における第１制動モードでのＳＴＥＰ５４−４の処理と同様に実行できる。
【０３６６】
本実施形態では、以上の如く、電動モータ１００の回生運転時の電力伝送制御部４１の制御処理が実行される。
【０３６７】
上記の如く回生運転時の電力伝送制御部４１の制御処理を実行することで、要求回生量が閾値G_th1よりも大きい場合を除いて、閾値G_th2以下の少量の回生電力が第１蓄電装置２に充電される。この場合、第１蓄電装置２の充電量が小さいので、小さな充電レート（低レート）で第１蓄電装置２の充電を行うことができる。そのため、回生運転時に、第１蓄電装置２の劣化の進行を抑制しつつ、第１蓄電装置２の充電を行うことができる。ひいては、車両の航続可能距離を延ばすことができる。
【０３６８】
また、閾値G_th2を超える分の回生電力は、第２蓄電装置３に充電されるので、第１蓄電装置２による第２蓄電装置３の充電を行うことが必要となる状況の発生が少なくなるようにしつつ、第２残容量ＳＯＣ２を、中残容量領域又はその近辺の残容量値に維持するようにすることができる。
【０３６９】
ここで、以上説明した第２実施形態と本発明との対応関係について補足しておく。
【０３７０】
本実施形態では、前記第１制動モードでの制動処理が、本発明における第１制動処理に相当し、要求回生量Ｇ_dmdに関する前記閾値Ｇ_th2が本発明における第Ａ閾値に相当する。これ以外は、第２実施形態と本発明との対応関係は、第１実施形態と同じである。
【０３７１】
［第３実施形態］
次に、本発明の第３実施形態を、図２７を参照して説明する。なお、本実施形態は、電動モータ１００の制動時における第１制動モードでの制動処理だけが第２実施形態と相違するものである。このため、第２実施形態と同一事項については説明を省略する。
【０３７２】
本実施形態では、電動モータ１００の回生運転時における電力伝送制御部４１の制御処理は、所定の制御処理周期で、図２７のフローチャートに示す如く実行される。
【０３７３】
具体的には、電力伝送制御部４１は、ＳＴＥＰ７１において、第２残容量ＳＯＣ２の検出値と、電動モータ１００の要求回生量Ｇ_dmdとを取得する。このＳＴＥＰ７１の処理は、第１実施形態のＳＴＥＰ５１の処理と同じである。
【０３７４】
次いで、ＳＴＥＰ７２において、電力伝送制御部４１は、ＳＯＣ２の検出値と、電動モータ１００の要求回生量Ｇ_dmdとからあらかじめ作成されたマップに基づいて、第１蓄電装置２及び第２蓄電装置３のそれぞれの目標入力Ｐc1，Ｐc2（目標充電量）を決定する。
【０３７５】
この場合、本実施形態における上記マップの形態（閾値Ｇ_th1，Ｇ_th2による領域の区分形態）は、第２実施形態のもの（図２６に示したもの）と同じである。ただし、本実施形態では、要求回生量Ｇ_dmdが閾値Ｇ_th2よりも大きく、且つ、閾値Ｇ_th1以下となる点描領域における充電対象の蓄電装置が第２実施形態と相違する。
【０３７６】
すなわち、本実施形態では、図２６の点描領域は、第２蓄電装置３だけに充電を行う領域である。そして、ＳＯＣ２の検出値と、要求回生量Ｇ_dmdとの組が、図２６の点描領域に属する場合には、第１蓄電装置２の目標入力Ｐc1がゼロに設定されると共に、第２蓄電装置３の目標入力Ｐc2として、要求回生量Ｇ_cmdが設定される。
【０３７７】
なお、図２６の最下段の斜線領域と、最上段の斜線領域とにおける目標入力Ｐc1，Ｐc2の設定の仕方は第２実施形態と同じである。
【０３７８】
次いで、ＳＴＥＰ７３において、電力伝送制御部４１は、要求回生量Ｇ_dmdが、閾値Ｇ_th2以下であるか否かを判断する。
【０３７９】
このＳＴＥＰ７３の判断結果が肯定的となる状況は、図２６の最下段の斜線領域の状況である。この状況では、電力伝送制御部４１は、ＳＴＥＰ７４において、第１蓄電装置２だけを目標入力Ｐc1で充電するように、電力伝送回路部１１を制御する。
【０３８０】
この場合の電力伝送回路部１１の具体的な制御処理は、第２実施形態におけるＳＴＥＰ６４の処理と同様に実行できる。
【０３８１】
一方、ＳＴＥＰ７３の判断結果が否定的である場合には、電力伝送制御部４１は、さらに、ＳＴＥＰ７５において、要求回生量Ｇ_dmdが、閾値Ｇ_th1よりも大きいか否かを判断する。
【０３８２】
このＳＴＥＰ７５の判断結果が肯定的となる状況は、図２６の最上段の斜線領域の状況である。この状況では、電力伝送制御部４１は、ＳＴＥＰ７６において、第１蓄電装置２及び第２蓄電装置３をそれぞれ目標入力Ｐc1，Ｐc2で充電するように、電力伝送回路部１１を制御する。
【０３８３】
この場合の電力伝送回路部１１の具体的な制御処理は、第１実施形態におけるＳＴＥＰ５４−４の処理と同様に実行できる。
【０３８４】
また、ＳＴＥＰ７５の判断結果が否定的となる状況は、図２６の点描領域の状況である。この場合には、電力伝送制御部４１は、ＳＴＥＰ７７において、第２蓄電装置３だけを目標入力Ｐc2で充電するように、電力伝送回路部１１を制御する。
【０３８５】
この場合の電力伝送回路部１１の具体的な制御処理は、第１実施形態におけるＳＴＥＰ５４−５の処理と同様に実行できる。
【０３８６】
本実施形態では、以上の如く、電動モータ１００の回生運転時の電力伝送制御部４１の制御処理が実行される。
【０３８７】
上記の如く回生運転時の電力伝送制御部４１の制御処理を実行することで、要求回生量がG_th2以下の少量の回生量である場合に、当該少量の回生量の電力が第１蓄電装置２に充電される。この場合、第２実施形態と同様に、小さな充電レートで第１蓄電装置２の充電をゆっくり行うことができるため、第１蓄電装置２の劣化の進行を抑制しつつ、第１蓄電装置２の充電を行うことができる。ひいては、車両の航続可能距離を延ばすことができる。
【０３８８】
また、要求回生量がG_th2よりも大きい場合には、閾値G_th1を超えない限り、第２蓄電装置３だけに要求回生量に対応する回生電力が充電される。そして、この場合は、第２蓄電装置３は、小さい充電レートで充電せずとも、劣化の進行が生じ難いので、該第２蓄電装置３を素早く充電することもできる。このため、回生運転時の電力伝送回路部１１の制御の安定性を高めることができる。
【０３８９】
なお、本実施形態と本発明との対応関係は、第２実施形態と同じである。
【０３９０】
補足すると、前記第２実施形態、又は第３実施形態では、要求回生量Ｇ_dmdが閾値Ｇ_th1よりも大きい場合には、第２蓄電装置３の目標入力Ｐc2として、閾値Ｇth1と閾値Ｇ_th2との差分の回生量（閾値Ｇ_th1に一致する回生量から、閾値Ｇ_th2に一致する回生量を差し引いた差分の回生量）を設定し、要求回生量Ｇ_dmdから第２蓄電装置３の目標入力Ｐc2を差し引いた残余の回生量を、第１蓄電装置２の目標入力Ｐc1として設定するようにしてもよい。
【０３９１】
［変形態様］
次に、以上説明した第１〜第３実施形態に関連する変形態様をいくつか説明する。
【０３９２】
前記各実施形態では、第１蓄電装置２及び第２蓄電装置３の両方が正常（故障無しの状態）である場合における第１制動モードの制動処理において、電動モータ１００の要求制動力を回生制動力だけで実現するようにした。ただし、第１制動モードの制動処理において、一時的に、要求制動力の一部または全部を、制動装置６の制動力（非回生制動力）で負担するようにしてもよい。例えば、第２蓄電装置３の残容量ＳＯＣ１が満充電状態の値に近いものとなっている状況等において、要求制動力の一部又は全部を、制動装置６の制動力（非回生制動力）で負担するようにしてもよい。
【０３９３】
また、第１制動モードでの制動処理において、電動モータ１００の回生運転時における第１蓄電装置２及び第２蓄電装置３のそれぞれの充電量の割合は、第１残容量ＳＯＣ１及び第２残容量ＳＯＣ２のいずれか一方だけに応じて調整することも可能である。さらには、当該充電量の割合を、第１蓄電装置２及び第２蓄電装置３のそれぞれの温度に応じて変化させることも可能である。
【０３９４】
また、前記各実施形態では、第３制動モードの制動処理において、第１蓄電装置２に充電する回生電力の上限値（すなわち、前記閾値Ｇ_th3に対応する回生量）を一定値とした。ただし、当該回生電力の上限値を、例えば第１蓄電装置２の残容量ＳＯＣ１あるいは温度等に応じて変化させるようにしてもよい。例えば、当該回生電力の上限値を、第１蓄電装置２の残容量ＳＯＣ１が小さいほど、大きくなるようにしたり、あるいは、第１蓄電装置２の温度が低いほど、小さくなるようにしてもよい。
【０３９５】
また、前記各実施形態では、電動モータ１００の力行運転時に、第１〜第３制御モードの３つの制御モードで電力伝送回路部１１の制御を行う電力供給システム１を示した。ただし、電動モータ１００の力行運転時の電力伝送回路部１１の制御モードは、２つ又は４つ以上であってもよい。さらに、第１〜第３制御モードのいずれか１つの制御モードだけで、電力伝送回路部１１を行うように電力供給システム１を構成してもよい。
【０３９６】
また、電動モータ１００の力行運転時における互いに異なる制御モードは、基本給電量Ｐ１_baseと、第２残容量に関する閾値B2_th1とのうちのいずれか一方だけが異なっていてもよい。例えば、基本給電量Ｐ１_baseの最大値Ｐ１ｂと、閾値B2_th1とのうちの一方だけが、第１制御モードと異なる制御モードをさらに追加し、あるいは第２制御モード又は第３制御モードの代わりに採用するようにしてもよい。
【０３９７】
また、前記停止延長制御処理を省略してもよい。
【０３９８】
また、前記各実施形態では、電動モータ１００の要求駆動力DT_dmdを電動モータ１００（電気負荷）の要求出力として使用した。ただし、例えば、要求駆動力DT_dmdに対応して電動モータ１００に単位時間当たりに給電すべきエネルギー量、あるいは、要求駆動力DT_dmdに対応する電動モータ１００の通電電流の要求値（単位時間当たりの電荷量の要求値）を電動モータ１００（電気負荷）の要求出力として使用することも可能である。
【０３９９】
また、前記各実施形態では、電動モータ１００の要求回生量Ｇ_dmdを回生量指標値として使用した。ただし、例えば、電動モータ１００の要求制動力、あるいは、該要求制動力に対応する電動モータ１００の通電電流の要求値を、回生量指標値として使用することも可能である。
【０４００】
また、前記各実施形態では、電気負荷が電動モータ１００である場合を一例として説明した。ただし、電気負荷は、回生電力を出力可能なものであれば、電動モータ１００以外の電気負荷であってもよい。
【０４０１】
また、電力供給システム１を搭載する輸送機器は、電動車両に限らない。例えば、該輸送機器は、ハイブリッド車両であってもよく、あるいは、船舶、鉄道車両等であってもよい。
【符号の説明】
【０４０２】
１…電力供給システム、２…第１蓄電装置、３…第２蓄電装置、４…電力伝送路、５…制御装置、６…制動装置、１１…電力伝送回路部、１５，１６…電圧変換器、１７…インバータ、１００…電動モータ（電気負荷）。
【図１】
0006674790.tif 000002
【図２】
0006674790.tif 000003
【図３】
0006674790.tif 000004
【図４】
0006674790.tif 000005
【図５】
0006674790.tif 000006
【図６】
0006674790.tif 000007
【図７】
0006674790.tif 000008
【図８】
0006674790.tif 000009
【図９】
0006674790.tif 000010
【図１０】
0006674790.tif 000011
【図１１】
0006674790.tif 000012
【図１２】
0006674790.tif 000013
【図１３】
0006674790.tif 000014
【図１４】
0006674790.tif 000015
【図１５】
0006674790.tif 000016
【図１６】
0006674790.tif 000017
【図１７】
0006674790.tif 000018
【図１８】
0006674790.tif 000019
【図１９】
0006674790.tif 000020
【図２０】
0006674790.tif 000021
【図２１】
0006674790.tif 000022
【図２２】
0006674790.tif 000023
【図２３】
0006674790.tif 000024
【図２４】
0006674790.tif 000025
【図２５】
0006674790.tif 000026
【図２６】
0006674790.tif 000027
【図２７】
0006674790.tif 000028